(57)【要約】  ２つまたはそれ以上の無線アクセス技術（ＲＡＴ）に従う動作のために適応された無線デバイスが、ロケーションサーバに、支援についての要求を送ること（６０２）によって、測位参照信号設定情報を取得し、支援についての要求は、第１のＲＡＴに従って無線デバイスにサーブするセルに関する情報を含む。無線デバイスは、支援についての要求に応答して、測位参照信号設定情報を受信し（６０４）、測位参照信号設定情報は、無線デバイスによる測定のための、第２のＲＡＴに従って送信される１つまたは複数の信号を識別する。無線デバイスは、識別された１つまたは複数の信号のうちの少なくとも１つを測定し（６０６）、測定を報告し、および／または測定に基づいて無線デバイスについてのロケーションを推定し得る。【選択図】図６
2020537429.tif 000002
【特許請求の範囲】
【請求項１】
無線デバイスにおける、測位参照信号設定情報を取得するための方法であって、前記方法は、
ロケーションサーバに、支援についての要求を送ること（６０２）であって、支援についての前記要求が、第１の無線アクセス技術（ＲＡＴ）に従って前記無線デバイスにサーブするセルに関する情報を含む、支援についての要求を送ること（６０２）と、
支援についての前記要求に応答して、測位参照信号設定情報を受信すること（６０４）であって、前記測位参照信号設定情報が、前記無線デバイスによる測定のための、第２のＲＡＴに従って送信される１つまたは複数の信号を識別する、測位参照信号設定情報を受信すること（６０４）と、
前記識別された１つまたは複数の信号のうちの少なくとも１つを測定すること（６０６）と
を含む、方法。
【請求項２】
前記測定された１つまたは複数の信号についての１つまたは複数の測定を報告すること（９１２）をさらに含む、請求項１に記載の方法。
【請求項３】
前記測定された１つまたは複数の信号についての１つまたは複数の測定に基づいて、前記無線デバイスについてのロケーションを推定することをさらに含む、請求項１または２に記載の方法。
【請求項４】
前記測定すること（６０６）が、異なる参照信号間の相対時間差を測定することを含む、請求項１から３のいずれか一項に記載の方法。
【請求項５】
前記方法が、前記無線デバイスの、前記第１のＲＡＴ以外の１つまたは複数のＲＡＴについて測位測定を実施する能力を示す能力情報を送ること（９０４）をさらに含む、請求項１から４のいずれか一項に記載の方法。
【請求項６】
前記方法が、前記能力情報を送ることより前に、前記無線デバイスについての測位能力情報についての要求を受信すること（９０２）をさらに含む、請求項５に記載の方法。
【請求項７】
前記測位能力情報が、前記無線デバイスの、２つまたはそれ以上のＲＡＴの各々に従って信号を測定する能力または測定することについての選好を示す、請求項５または６に記載の方法。
【請求項８】
前記測位能力情報は、
マルチＲＡＴ動作に関する現在の無線デバイス設定、
１つまたは複数のＲＡＴの指示であって、前記無線デバイスが、前記１つまたは複数のＲＡＴに従って測位支援データを受信することが可能であるかまたは受信することを選好する、１つまたは複数のＲＡＴの指示、
１つまたは複数のＲＡＴの指示であって、前記無線デバイスが、前記１つまたは複数のＲＡＴに従って測位測定の結果を報告することが可能であるかまたは報告することを選好する、１つまたは複数のＲＡＴの指示、
前記無線デバイスが、設定された１次セルを有する、１つまたは複数のＲＡＴの指示、
前記無線デバイスが、並列に複数のＲＡＴに従って信号の測位測定を実施することが可能であるおよび／または実施することを選好するかどうかの指示、
サポートされるＲＡＴのうちの１つまたは複数の各々に従う測位測定のためのセルおよび／または周波数の最大数の指示、
サポートされるＲＡＴのうちの１つまたは複数の各々に従う測位測定のためのキャリア周波数のセットまたは範囲の指示、
サポートされるＲＡＴのうちの１つまたは複数の各々に従うサポートされる（１つまたは複数の）帯域幅の指示、ならびに
１つまたは複数のサポートされるＲＡＴの各々に関する前記無線デバイスのヌメロロジー能力の指示
のうちの１つまたは複数を含む、請求項５から７のいずれか一項に記載の方法。
【請求項９】
前記方法が、前記第２のＲＡＴに従う信号を監視するための測定ギャップを確立すること（１１０４、１１０６）をさらに含む、請求項１から８のいずれか一項に記載の方法。
【請求項１０】
前記測定ギャップを確立すること（１１０４、１１０６）が、前記第１のＲＡＴに従って前記無線デバイスにサーブする前記セルを介して測定ギャップを要求すること（１１０６）を含む、請求項９に記載の方法。
【請求項１１】
前記測定ギャップを確立すること（１１０４、１１０６）が、前記測定ギャップを自律的にセットアップすること（１１０４）を含む、請求項９に記載の方法。
【請求項１２】
前記無線デバイスが、第１のＲＡＴに従って動作する１次セルによってサーブされており、前記方法が、前記第２のＲＡＴに従って動作する最も強いセルを識別することをさらに含み、支援についての前記要求が、前記第２のＲＡＴに従って動作する前記識別された最も強いセルを識別する情報を含む、請求項１から１０のいずれか一項に記載の方法。
【請求項１３】
支援についての前記要求が、第１のＲＡＴに従って前記無線デバイスにサーブする１次セルを記述する情報を含む、請求項１から１２のいずれか一項に記載の方法。
【請求項１４】
前記無線デバイスにサーブする前記１次セルを記述する前記情報が、
前記１次セルのためのセル識別子、
前記１次セルのためのキャリア周波数、
サービング同期信号ブロック（サービングＳＳＢ）の周波数、
ＳＳＢの識別子、
トラッキング参照信号識別子、
チャネル状態情報参照信号の識別子、および
前記１次セルのためのタイミング情報
のうちの１つまたは複数を含む、請求項１３に記載の方法。
【請求項１５】
支援についての前記要求が、前記無線デバイスにサーブする１次セル以外の、前記無線デバイスにサーブする１つまたは複数のセルを記述する情報を含む、請求項１から１４のいずれか一項に記載の方法。
【請求項１６】
前記測位参照信号設定情報が、前記無線デバイスによる測定のための前記識別された信号のうちの１つまたは複数のためのタイミング情報を含み、前記識別された１つまたは複数の信号のうちの前記少なくとも１つを前記測定することが、前記タイミング情報を使用することを含む、請求項１から１５のいずれか一項に記載の方法。
【請求項１７】
前記タイミング情報が、前記第１のＲＡＴのタイミングと前記第２のＲＡＴのタイミングとの間のオフセットである、請求項１６に記載の方法。
【請求項１８】
ロケーションサーバにおける、無線デバイスに測位参照信号設定情報を提供するための方法であって、前記方法は、
前記無線デバイスから、支援についての要求を受信すること（８０２）であって、支援についての前記要求が、第１の無線アクセス技術（ＲＡＴ）に従って前記無線デバイスにサーブするセルに関する情報を含む情報を含む、支援についての要求を受信すること（８０２）と、
支援についての前記要求に応答して、前記無線デバイスに測位参照信号設定情報を送ること（８０４）であって、前記測位参照信号設定情報が、前記無線デバイスによる測定のための、第２のＲＡＴに従って送信される１つまたは複数の信号を識別する、測位参照信号設定情報を送ること（８０４）と
を含む、方法。
【請求項１９】
前記無線デバイスから、前記識別された１つまたは複数の信号の１つまたは複数の測定のリポートを受信すること（１０１０）をさらに含む、請求項１８に記載の方法。
【請求項２０】
前記リポートが、異なる参照信号間の相対時間差の測定を含む、請求項１８または１９に記載の方法。
【請求項２１】
前記リポートに基づいて、前記無線デバイスについてのロケーションを推定すること（１０１０）をさらに含む、請求項１８から２０のいずれか一項に記載の方法。
【請求項２２】
前記方法が、
前記無線デバイスから、前記無線デバイスの、前記第１のＲＡＴ以外の１つまたは複数のＲＡＴについて測位測定を実施する能力を示す能力情報を受信すること（１００４）と、
前記受信された能力情報に基づいて前記１つまたは複数の信号を選択することと
をさらに含む、請求項１８から２１のいずれか一項に記載の方法。
【請求項２３】
前記方法が、前記能力情報を受信することより前に、前記無線デバイスについての測位能力情報についての要求を送ること（１００２）をさらに含む、請求項２２に記載の方法。
【請求項２４】
前記測位能力情報が、前記無線デバイスの、２つまたはそれ以上のＲＡＴの各々に従って信号を測定する能力または測定することについての選好を示す、請求項２２または２３に記載の方法。
【請求項２５】
前記測位能力情報は、
マルチＲＡＴ動作に関する現在の無線デバイス設定、
１つまたは複数のＲＡＴの指示であって、前記無線デバイスが、前記１つまたは複数のＲＡＴに従って測位支援データを受信することが可能であるかまたは受信することを選好する、１つまたは複数のＲＡＴの指示、
１つまたは複数のＲＡＴの指示であって、前記無線デバイスが、前記１つまたは複数のＲＡＴに従って測位測定の結果を報告することが可能であるかまたは報告することを選好する、１つまたは複数のＲＡＴの指示、
前記無線デバイスが、設定された１次セルを有する、１つまたは複数のＲＡＴの指示、
前記無線デバイスが、並列に複数のＲＡＴに従って信号の測位測定を実施することが可能であるおよび／または実施することを選好するかどうかの指示、
サポートされるＲＡＴのうちの１つまたは複数の各々に従う測位測定のためのセルおよび／または周波数の最大数の指示、
サポートされるＲＡＴのうちの１つまたは複数の各々に従う測位測定のためのキャリア周波数のセットまたは範囲の指示、
サポートされるＲＡＴのうちの１つまたは複数の各々に従うサポートされる（１つまたは複数の）帯域幅の指示、ならびに
１つまたは複数のサポートされるＲＡＴの各々に関する前記無線デバイスのヌメロロジー能力の指示
のうちの１つまたは複数を含む、請求項２２から２４のいずれか一項に記載の方法。
【請求項２６】
支援についての前記要求が、第１のＲＡＴに従って前記無線デバイスにサーブする１次セルを記述する情報を含む、請求項１８から２５のいずれか一項に記載の方法。
【請求項２７】
前記無線デバイスにサーブする前記１次セルを記述する前記情報が、
前記１次セルのためのセル識別子、
前記１次セルのためのキャリア周波数、
サービング同期信号ブロック（サービングＳＳＢ）の周波数、
ＳＳＢの識別子、
トラッキング参照信号識別子、
チャネル状態情報参照信号の識別子、および
前記１次セルのためのタイミング情報
のうちの１つまたは複数を含む、請求項２６に記載の方法。
【請求項２８】
支援についての前記要求が、前記無線デバイスにサーブする１次セル以外の、前記無線デバイスにサーブする１つまたは複数のセルを記述する情報を含む、請求項１８から２７のいずれか一項に記載の方法。
【請求項２９】
前記測位参照信号設定情報が、前記無線デバイスによる測定のための前記識別された信号のうちの１つまたは複数のためのタイミング情報を含む、請求項１８から２８のいずれか一項に記載の方法。
【請求項３０】
前記タイミング情報が、前記第１のＲＡＴのタイミングと前記第２のＲＡＴのタイミングとの間のオフセットである、請求項２９に記載の方法。
【請求項３１】
無線デバイス（５０）であって、
ロケーションサーバ（３０）に、支援についての要求を送ることであって、支援についての前記要求が、第１の無線アクセス技術（ＲＡＴ）に従って前記無線デバイス（５０）にサーブするセルに関する情報を含む、支援についての要求を送ることと、
支援についての前記要求に応答して、測位参照信号設定情報を受信することであって、前記測位参照信号設定情報が、前記無線デバイスによる測定のための、第２のＲＡＴに従って送信される１つまたは複数の信号を識別する、測位参照信号設定情報を受信することと、
前記識別された１つまたは複数の信号のうちの少なくとも１つを測定することと
を行うように適応された、無線デバイス（５０）。
【請求項３２】
前記無線デバイス（５０）が、前記測定された１つまたは複数の信号についての１つまたは複数の測定を報告するようにさらに適応された、請求項３１に記載の無線デバイス（５０）。
【請求項３３】
前記無線デバイス（５０）が、前記測定された１つまたは複数の信号についての１つまたは複数の測定に基づいて、前記無線デバイスについてのロケーションを推定するようにさらに適応された、請求項３１または３２に記載の無線デバイス（５０）。
【請求項３４】
前記１つまたは複数の測定が、異なる参照信号間の相対時間差の測定を含む、請求項３１から３３のいずれか一項に記載の無線デバイス（５０）。
【請求項３５】
前記無線デバイス（５０）が、前記無線デバイスの、前記第１のＲＡＴ以外の１つまたは複数のＲＡＴについて測位測定を実施する能力を示す能力情報を送るようにさらに適応された、請求項３１から３４のいずれか一項に記載の無線デバイス（５０）。
【請求項３６】
前記無線デバイス（５０）が、前記能力情報を送ることより前に、前記無線デバイスについての測位能力情報についての要求を受信するようにさらに適応された、請求項３５に記載の無線デバイス（５０）。
【請求項３７】
前記測位能力情報が、前記無線デバイスの、２つまたはそれ以上のＲＡＴの各々に従って信号を測定する能力または測定することについての選好を示す、請求項３５または３６に記載の無線デバイス（５０）。
【請求項３８】
前記測位能力情報は、
マルチＲＡＴ動作に関する現在の無線デバイス設定、
１つまたは複数のＲＡＴの指示であって、前記無線デバイスが、前記１つまたは複数のＲＡＴに従って測位支援データを受信することが可能であるかまたは受信することを選好する、１つまたは複数のＲＡＴの指示、
１つまたは複数のＲＡＴの指示であって、前記無線デバイスが、前記１つまたは複数のＲＡＴに従って測位測定の結果を報告することが可能であるかまたは報告することを選好する、１つまたは複数のＲＡＴの指示、
前記無線デバイスが、設定された１次セルを有する、１つまたは複数のＲＡＴの指示、
前記無線デバイスが、並列に複数のＲＡＴに従って信号の測位測定を実施することが可能であるおよび／または実施することを選好するかどうかの指示、
サポートされるＲＡＴのうちの１つまたは複数の各々に従う測位測定のためのセルおよび／または周波数の最大数の指示、
サポートされるＲＡＴのうちの１つまたは複数の各々に従う測位測定のためのキャリア周波数のセットまたは範囲の指示、
サポートされるＲＡＴのうちの１つまたは複数の各々に従うサポートされる（１つまたは複数の）帯域幅の指示、ならびに
１つまたは複数のサポートされるＲＡＴの各々に関する前記無線デバイスのヌメロロジー能力の指示
のうちの１つまたは複数を含む、請求項３５から３７のいずれか一項に記載の無線デバイス（５０）。
【請求項３９】
前記無線デバイス（５０）が、前記第２のＲＡＴに従う信号を監視するための測定ギャップを確立するようにさらに適応された、請求項３１から３８のいずれか一項に記載の無線デバイス（５０）。
【請求項４０】
前記無線デバイス（５０）が、前記第１のＲＡＴに従って前記無線デバイスにサーブする前記セルを介して測定ギャップを要求するようにさらに適応された、請求項３９に記載の無線デバイス（５０）。
【請求項４１】
前記無線デバイス（５０）が、前記測定ギャップを自律的にセットアップするようにさらに適応された、請求項３９に記載の無線デバイス（５０）。
【請求項４２】
前記無線デバイス（５０）が、第１のＲＡＴに従って動作する１次セルによってサーブされており、前記無線デバイス（５０）が、前記第２のＲＡＴに従って動作する最も強いセルを識別するようにさらに適応され、支援についての前記要求が、前記第２のＲＡＴに従って動作する前記識別された最も強いセルを識別する情報を含む、請求項３１から４０のいずれか一項に記載の無線デバイス（５０）。
【請求項４３】
支援についての前記要求が、第１のＲＡＴに従って前記無線デバイス（５０）にサーブする１次セルを記述する情報を含む、請求項３１から４２のいずれか一項に記載の無線デバイス（５０）。
【請求項４４】
前記無線デバイス（５０）にサーブする前記１次セルを記述する前記情報が、
前記１次セルのためのセル識別子、
前記１次セルのためのキャリア周波数、
サービング同期信号ブロック（サービングＳＳＢ）の周波数、
ＳＳＢの識別子、
トラッキング参照信号識別子、
チャネル状態情報参照信号の識別子、および
前記１次セルのためのタイミング情報
のうちの１つまたは複数を含む、請求項４３に記載の無線デバイス（５０）。
【請求項４５】
支援についての前記要求が、前記無線デバイス（５０）にサーブする１次セル以外の、前記無線デバイス（５０）にサーブする１つまたは複数のセルを記述する情報を含む、請求項３１から４４のいずれか一項に記載の無線デバイス（５０）。
【請求項４６】
前記測位参照信号設定情報が、前記無線デバイス（５０）による測定のための前記識別された信号のうちの１つまたは複数のためのタイミング情報を含み、前記無線デバイス（５０）が、前記タイミング情報を使用して、前記識別された１つまたは複数の信号のうちの前記少なくとも１つを測定するように適応された、請求項３１から４５のいずれか一項に記載の無線デバイス（５０）。
【請求項４７】
前記タイミング情報が、前記第１のＲＡＴのタイミングと前記第２のＲＡＴのタイミングとの間のオフセットである、請求項４６に記載の無線デバイス（５０）。
【請求項４８】
無線デバイス（５０）から、支援についての要求を受信することであって、支援についての前記要求が、第１の無線アクセス技術（ＲＡＴ）に従って前記無線デバイス（５０）にサーブするセルに関する情報を含む情報を含む、支援についての要求を受信することと、
支援についての前記要求に応答して、前記無線デバイス（５０）に測位参照信号設定情報を送ることであって、前記測位参照信号設定情報が、前記無線デバイス（５０）による測定のための、第２のＲＡＴに従って送信される１つまたは複数の信号を識別する、測位参照信号設定情報を送ることと
を行うように適応されたロケーションサーバ（３０）。
【請求項４９】
前記ロケーションサーバ（３０）が、前記無線デバイス（５０）から、前記識別された１つまたは複数の信号の１つまたは複数の測定のリポートを受信するようにさらに適応された、請求項４８に記載のロケーションサーバ（３０）。
【請求項５０】
前記リポートが、異なる参照信号間の相対時間差の測定を含む、請求項４８または４９に記載のロケーションサーバ（３０）。
【請求項５１】
前記ロケーションサーバ（３０）が、前記リポートに基づいて、前記無線デバイス（５０）についてのロケーションを推定するようにさらに適応された、請求項４８から５０のいずれか一項に記載のロケーションサーバ（３０）。
【請求項５２】
前記ロケーションサーバ（３０）が、
前記無線デバイス（５０）から、前記無線デバイスの、前記第１のＲＡＴ以外の１つまたは複数のＲＡＴについて測位測定を実施する能力を示す能力情報を受信することと、
前記受信された能力情報に基づいて前記１つまたは複数の信号を選択することと
を行うようにさらに適応された、請求項４８から５１のいずれか一項に記載のロケーションサーバ（３０）。
【請求項５３】
前記ロケーションサーバ（３０）が、前記能力情報を受信することより前に、前記無線デバイス（５０）についての測位能力情報についての要求を送るようにさらに適応された、請求項５２に記載のロケーションサーバ（３０）。
【請求項５４】
前記測位能力情報が、前記無線デバイスの、２つまたはそれ以上のＲＡＴの各々に従って信号を測定する能力または測定することについての選好を示す、請求項５２または５３に記載のロケーションサーバ（３０）。
【請求項５５】
前記測位能力情報は、
マルチＲＡＴ動作に関する現在の無線デバイス設定、
１つまたは複数のＲＡＴの指示であって、前記無線デバイスが、前記１つまたは複数のＲＡＴに従って測位支援データを受信することが可能であるかまたは受信することを選好する、１つまたは複数のＲＡＴの指示、
１つまたは複数のＲＡＴの指示であって、前記無線デバイスが、前記１つまたは複数のＲＡＴに従って測位測定の結果を報告することが可能であるかまたは報告することを選好する、１つまたは複数のＲＡＴの指示、
前記無線デバイスが、設定された１次セルを有する、１つまたは複数のＲＡＴの指示、
前記無線デバイスが、並列に複数のＲＡＴに従って信号の測位測定を実施することが可能であるおよび／または実施することを選好するかどうかの指示、
サポートされるＲＡＴのうちの１つまたは複数の各々に従う測位測定のためのセルおよび／または周波数の最大数の指示、
サポートされるＲＡＴのうちの１つまたは複数の各々に従う測位測定のためのキャリア周波数のセットまたは範囲の指示、
サポートされるＲＡＴのうちの１つまたは複数の各々に従うサポートされる（１つまたは複数の）帯域幅の指示、ならびに
１つまたは複数のサポートされるＲＡＴの各々に関する前記無線デバイスのヌメロロジー能力の指示
のうちの１つまたは複数を含む、請求項５２から５４のいずれか一項に記載のロケーションサーバ（３０）。
【請求項５６】
支援についての前記要求が、第１のＲＡＴに従って前記無線デバイス（５０）にサーブする１次セルを記述する情報を含む、請求項４８から５５のいずれか一項に記載のロケーションサーバ（３０）。
【請求項５７】
前記無線デバイス（５０）にサーブする前記１次セルを記述する前記情報が、
前記１次セルのためのセル識別子、
前記１次セルのためのキャリア周波数、
サービング同期信号ブロック（サービングＳＳＢ）の周波数、
ＳＳＢの識別子、
トラッキング参照信号識別子、
チャネル状態情報参照信号の識別子、および
前記１次セルのためのタイミング情報
のうちの１つまたは複数を含む、請求項５６に記載のロケーションサーバ（３０）。
【請求項５８】
支援についての前記要求が、前記無線デバイス（５０）にサーブする１次セル以外の、前記無線デバイス（５０）にサーブする１つまたは複数のセルを記述する情報を含む、請求項４８から５７のいずれか一項に記載のロケーションサーバ（３０）。
【請求項５９】
前記測位参照信号設定情報が、前記無線デバイス（５０）による測定のための前記識別された信号のうちの１つまたは複数のためのタイミング情報を含む、請求項４８から５８のいずれか一項に記載のロケーションサーバ（３０）。
【請求項６０】
前記タイミング情報が、前記第１のＲＡＴのタイミングと前記第２のＲＡＴのタイミングとの間のオフセットである、請求項５９に記載のロケーションサーバ（３０）。
【請求項６１】
測位参照信号設定情報を取得するように設定された無線デバイス（５０）であって、前記無線デバイス（５０）が、
ロケーションサーバおよび１つまたは複数の無線通信ネットワークと直接または間接的に通信するために設定されたトランシーバ回路要素（５６）と、
前記トランシーバ回路要素（５６）に動作可能に結合された処理回路要素（５２）とを備え、前記処理回路要素（５２）は、
ロケーションサーバに、支援についての要求を送ることであって、支援についての前記要求が、第１の無線アクセス技術（ＲＡＴ）に従って前記無線デバイスにサーブするセルに関する情報を含む、支援についての要求を送ることと、
支援についての前記要求に応答して、測位参照信号設定情報を受信することであって、前記測位参照信号設定情報が、前記無線デバイスによる測定のための、第２のＲＡＴに従って送信される１つまたは複数の信号を識別する、測位参照信号設定情報を受信することと、
前記識別された１つまたは複数の信号のうちの少なくとも１つを測定することと
を行うように設定された、無線デバイス（５０）。
【請求項６２】
無線デバイス（５０）に測位参照信号設定情報を提供するように設定されたロケーションサーバ（３０）であって、前記ロケーションサーバ（３０）が、
前記無線デバイス（５０）と直接または間接的に通信するために設定された通信回路要素（３８）と、
前記通信回路要素（３８）に動作可能に結合された処理回路要素（３２）とを備え、前記処理回路要素（３２）は、
前記無線デバイス（５０）から、支援についての要求を受信することであって、支援についての前記要求が、第１の無線アクセス技術（ＲＡＴ）に従って前記無線デバイス（５０）にサーブするセルに関する情報を含む情報を含む、支援についての要求を受信することと、
支援についての前記要求に応答して、前記無線デバイス（５０）に測位参照信号設定情報を送ることであって、前記測位参照信号設定情報が、前記無線デバイス（５０）による測定のための、第２のＲＡＴに従って送信される１つまたは複数の信号を識別する、測位参照信号設定情報を送ることと
を行うように設定された、ロケーションサーバ（３０）。
【発明の詳細な説明】
【技術分野】
【０００１】
本開示は、一般に、無線ネットワーク通信の分野に関し、より詳細には、測位参照信号設定情報を提供するロケーションサーバと、測位参照信号設定情報を取得する無線デバイスとに関する。
【背景技術】
【０００２】
エボルブドパケットシステム（ＥＰＳ）は、エボルブド３ＧＰＰパケット交換ドメインであり、エボルブドパケットコア（ＥＰＣ）と拡張ユニバーサル地上無線アクセスネットワーク（Ｅ−ＵＴＲＡＮ）とを含む。ＥＰＣアーキテクチャは３ＧＰＰ  ＴＳ２３．４０１において規定されており、これは、ＰＧＷ（ＰＤＮゲートウェイ）、ＳＧＷ（サービングゲートウェイ）、ＰＣＲＦ（ポリシーおよび課金ルール機能）、ＭＭＥ（モビリティ管理エンティティ）、およびモバイルデバイス（ＵＥ）の規定を与える。第３世代パートナーシッププロジェクト（３ＧＰＰ）のメンバーによって指定されているＬｏｎｇ−Ｔｅｒｍ  Ｅｖｏｌｕｔｉｏｎ（ＬＴＥ）無線アクセスネットワーク（Ｅ−ＵＴＲＡＮ）は、１つまたは複数のｅＮＢ（ｅノードＢとも呼ばれる、ＬＴＥネットワークにおける基地局のための３ＧＰＰ用語）を含む。ｅＮＢはＸ２インターフェースによって互いと相互接続される。ｅＮＢはまた、Ｓ１インターフェースによってＥＰＣ（エボルブドパケットコア）に、より詳細には、Ｓ１−ＭＭＥインターフェースによってＭＭＥ（モビリティ管理エンティティ）に、およびＳ１−Ｕインターフェースによってサービングゲートウェイ（Ｓ−ＧＷ）に接続される。
【０００３】
ロケーションベースサービスおよび緊急呼測位が、無線ネットワークにおける測位の発展を推進しており、端末における極めて多くのアプリケーションおよびサービスが、位置を利用する。ＬＴＥにおける測位は、ＬＴＥ測位プロトコル（ＬＰＰ）を介した、ＵＥ（ユーザ機器−携帯電話またはマシンツーマシン無線通信デバイスなど、アクセス端末のための３ＧＰＰ用語）とロケーションサーバ（Ｅ−ＳＭＬＣ）との間の直接的な対話を伴って、図１中のアーキテクチャによってサポートされる。その上、無線リソース制御（ＲＲＣ）プロトコルを介したｅＮＢとＵＥとの間の対話によってある程度までサポートされる、ＬＰＰアネックス（ＬＰＰａ）プロトコルを介したロケーションサーバとｅＮＢとの間の対話もある。測位は、ＭＭＥとの対話を介して始動され、その始動は、ＵＥ、Ｅ−ＳＭＬＣおよびゲートウェイモバイルロケーションセンター（ＧＭＬＣ）からのものであり得る。
【０００４】
図２は、５Ｇまたは新しい無線（ＮＲ）測位アーキテクチャを示し、ここで、アクセスおよびモビリティ機能（ＡＭＦ）が、ＭＭＥと同様の役割を有し、ロケーション管理機能（ＬＭＦ）が、Ｅ−ＳＭＬＣと同様の役割を有し、ＮＧ−ＲＡＮが、この図では、無線ネットワークインフラストラクチャについての総称名である。さらに、アーキテクチャの一部であるが、本発明における無線関係態様の中心でない、統合データ管理（ＵＤＭ）およびロケーション取出し機能（ＬＲＦ）がある。
【０００５】
たとえば、３ＧＰＰ  ＴＳ３６．３０５において説明されるように、いくつかの測位技法がＬＴＥにおいて考慮される。これらは拡張セルＩＤを含む。本質的に、ＵＥをサービングセルのサービングエリアに関連付けるためにセルＩＤ情報が使用され、次いで、より細かいグラニュラリティ位置を決定するために追加情報が使用される。別の技法は、支援ＧＮＳＳ（グローバルナビゲーション衛星システム）を含み、ＧＮＳＳ情報が、ＵＥによって取り出され、Ｅ−ＳＭＬＣからＵＥに提供される支援情報によってサポートされる。
【０００６】
他の測位システムは、ＵＥが、異なる基地局からの参照信号の時間差を推定し、その時間差をマルチラテレーションのためにＥ−ＳＭＬＣに送る、ＯＴＤＯＡ（観測到達時間差）と、ＵＥが、知られている位置における複数のロケーション測定ユニット（たとえば、ｅＮＢ）によって検出される特定の波形を送信することを要求される、ＵＴＤＯＡ（アップリンクＴＤＯＡ）とを含む。これらの測定は、マルチラテレーションのためにＥ−ＳＭＬＣにフォワーディングされる。
【０００７】
図３は、ＵＥが、あるＲＡＴによってサーブされ、ＵＥが別のＲＡＴにおいて測定を提供することを要求される、一般的なシナリオを示す。この一般的なシナリオでは、ＵＥ１０は、サービング／制御ノード／基地局２０によってサーブ／制御される。５Ｇでは、このノードはｇＮＢと標示される。ＵＥはまた、２つ以上のサービングセルを有し得る。たとえば、キャリアアグリゲーションシステムでは、ＵＥは、１次セル（ＰＣｅｌｌ）と１つまたは複数の２次セル（ＳＣｅｌｌ）とを有し得る。デュアルコネクティビティでは、ＵＥは、ＰＣｅｌｌおよびＰＳＣｅｌｌを有し得、ＳＣｅｌｌをも有し得、サービングセルは、同じＲＡＴに属することも属さないこともある。たとえば、非スタンドアロンＮＲでは、ＵＥは、ＬＴＥ  ＰＣｅｌｌ、ＮＲ  ＰＳＣｅｌｌによってサーブされ、場合によってはＬＴＥおよび／またはＮＲ  ＳＣｅｌｌによってもサーブされ得る。さらに、そのエリアに、測位参照信号を送信するＬＴＥ基地局／ｅＮＢ３０がある。ＵＥはまた、ロケーションサーバ（ＬＳ）４０によってサポートされ、ロケーションサーバ（ＬＳ）４０は、ＥＰＣではＥ−ＳＭＬＣとして、および５Ｇコア（５ＧＣ）ではＬＭＦとして実現される。基地局は参照信号を送信し得、ＵＥは、その参照信号を検出し、関連する到達時間（ＴＯＡ）を測定することができる。
【０００８】
一例では、測位技法はＯＴＤＯＡであり、これは、ＵＥが、複数のセル（ｅＮＢ）からの特定の測位参照信号（ＰＲＳ）のＴＯＡを測定し、各セルと参照セルとの間の相対差を算出する、ＵＥ支援方法である。これらの参照信号時間差（ＲＳＴＤ）は、量子化され、精度アセスメントとともに、ＬＴＥ測位プロトコル（ＬＰＰ）を介してＥ−ＳＭＬＣに報告される。ｅＮＢおよびそれらの相互時間同期の知られている位置に基づいて、Ｅ−ＳＭＬＣは、マルチラテレーションを使用してＲＳＴＤおよび共分散リポートからＵＥ位置を推定することが可能である。精度は、受信された信号の無線状態、受信された信号の数、ならびに展開に依存し、これは、精度が空間的に変動することを意味する。図４は、ｅＮＢ１を参照セルと見なしたときの、ＯＴＤＯＡにおけるマルチラテレーションを示す。
【０００９】
測位参照信号は、ＵＥが現在動作している同じキャリア、またはＵＥが通信のために使用するように設定されたキャリアにおいて、あるいは異なるキャリアにおいて送信され得る。ＵＥが異なるキャリアにおいて測位参照信号を測定するように設定された場合、ＵＥは、測定ギャップ設定を取得するために、サービングｅＮＢに通知することができ、ＵＥは、異なるキャリアにおいて測位参照信号を探索することをサービングキャリアに任せることになる。サービングｅＮＢとの対話は、無線リソース制御（ＲＲＣ）プロトコルを介したものであり得る。既存のＬＴＥ仕様では、ＵＥは、測位参照信号が送信されているときの設定された送信パターン（一般に周期的）と、周波数キャリアとに関してサービングｅＮＢに通知する。
【００１０】
ＬＴＥにおけるネットワークノードとデバイスとが互いと通信し始める前に、ＵＥは、システムフレーム番号（ＳＦＮ）情報を含む、対応するセルのタイミングを知る必要がある。ＵＥは、受信のために、ただしＵＥの送信のためにも、セル探索を実施し、セルタイミングを収集し、また、ＵＥ自体のタイミングを調整する。ＬＴＥでは、無線フレーム、または（ＳＦＮを用いて番号付けされた）システムフレームは、１０ミリ秒の長さを有し、対応するＳＦＮは０から１０２３の間の整数であり得る。サブフレームは１ミリ秒の長さを有し、対応するサブフレーム番号は０から９の間の整数である。１つの無線フレームは１０個のサブフレームを備える。各サブフレームは２つのスロットを備える。
【００１１】
ＮＲ／５Ｇにおいてサーブされるデバイスのための既存のソリューションでは、現在の合意は、既存のＬＰＰを再使用することである。しかしながら、ＬＰＰは、ＬＴＥ信号を測定しながら、非ＬＴＥ  ＲＡＴによってサーブされるデバイスをサポートするように設計されていない。ＬＰＰは、概して、ＵＥが支援データを受信する、第１のＲＡＴまたは第２のＲＡＴとは異なる第３のＲＡＴにおける測位目的のために無線信号を受信しながら、あるＲＡＴによってサーブされ、別の異なるＲＡＴにおける測位目的のために無線信号を受信するか、または（たとえば、ＬＴＥおよびＮＲを伴うキャリアアグリゲーションまたはデュアルコネクティビティにおいて）少なくとも第１のＲＡＴおよび第２のＲＡＴによってサーブされる、デバイスをサポートしない。
【発明の概要】
【００１２】
本発明の実施形態は、２つ以上のＲＡＴからのサービング基地局があり得るとき、および／または測位参照信号を提供することができる２つ以上の可能なＲＡＴがあるとき、たとえば、ターゲット無線デバイス（たとえば、ＵＥ）に、ロケーションサーバに情報を提供させることによって、上記で説明された問題に対処する。無線デバイスは、次いで、その情報に基づいて、ロケーションサーバから測位参照信号設定情報を受信する。
【００１３】
いくつかの実施形態によれば、２つまたはそれ以上の無線アクセス技術（ＲＡＴ）に従う動作のために適応された無線デバイスが、ロケーションサーバに、支援についての要求を送ることによって、測位参照信号設定情報を取得し、支援についての要求は、第１のＲＡＴに従って無線デバイスにサーブするセルに関する情報を含む。無線デバイスは、支援についての要求に応答して、測位参照信号設定情報を受信し、測位参照信号設定情報は、無線デバイスによる測定のための、第２のＲＡＴに従って送信される１つまたは複数の信号を識別する。無線デバイスは、識別された１つまたは複数の信号のうちの少なくとも１つを測定し、測定を報告し、および／または測定に基づいて無線デバイスについてのロケーションを推定し得る。
【００１４】
他の実施形態によれば、無線デバイスに測位参照信号設定情報を提供するように設定されたロケーションサーバが、無線デバイスから、支援についての要求を受信し、支援についての要求は、第１の無線アクセス技術（ＲＡＴ）に従って無線デバイスにサーブするセルに関する情報を含む情報を含む。ロケーションサーバは、支援についての要求に応答して、無線デバイスに測位参照信号設定情報を送り、測位参照信号設定情報は、無線デバイスによる測定のための、第２のＲＡＴに従って送信される１つまたは複数の信号を識別する。ロケーションサーバは、識別された１つまたは複数の信号の１つまたは複数の測定のリポートを受信し得、いくつかの実施形態では、リポートに基づいて無線デバイスについてのロケーションを推定し得る。
【００１５】
いくつかの実施形態によれば、測位参照信号設定情報を取得するための、無線デバイスによって行われる方法が、ロケーションサーバに、支援についての要求を送ることを含む。支援についての要求は、無線デバイスによって監視される少なくとも１つのセルを記述する情報を含むか、あるいは無線デバイスの、１つまたは複数のＲＡＴの各々に従って送信される信号を測定する能力または測定することについての選好に関する情報を含むか、あるいは少なくとも１つの監視されるセルを記述する情報と、無線デバイスの能力に関する情報の両方を含む。本方法は、支援についての要求に応答して、測位参照信号設定情報を受信することをも含む。測位参照信号設定情報は、無線デバイスによる測定のための１つまたは複数の信号を識別する。本方法は、識別された１つまたは複数の信号のうちの少なくとも１つを測定することをさらに含む。
【００１６】
いくつかの実施形態によれば、ロケーションサーバにおける、無線デバイスに測位参照信号設定情報を提供するための方法が、無線デバイスから、支援についての要求を受信することを含む。支援についての要求は、無線デバイスによって監視される少なくとも１つのセルを記述する情報を含むか、あるいは無線デバイスの、１つまたは複数のＲＡＴの各々に従って送信される信号を測定する能力または測定することについての選好に関する情報を含むか、あるいは少なくとも１つの監視されるセルを記述する情報と、無線デバイスの能力に関する情報の両方を含む。本方法は、支援についての要求に応答して、無線デバイスに測位参照信号設定情報を送ることをも含む。測位参照信号設定情報は、無線デバイスによる測定のための１つまたは複数の信号を識別する。
【００１７】
いくつかの実施形態によれば、測位参照信号設定情報を取得するように設定された無線デバイスが、ロケーションサーバおよび１つまたは複数の無線通信ネットワークと直接または間接的に通信するために設定されたトランシーバ回路要素と、トランシーバ回路要素に動作可能に結合された処理回路要素とを含む。処理回路要素は、ロケーションサーバに、支援についての要求を送るように設定される。支援についての要求は、無線デバイスによって監視される少なくとも１つのセルを記述する情報を含むか、あるいは無線デバイスの、１つまたは複数のＲＡＴの各々に従って送信される信号を測定する能力または測定することについての選好に関する情報を含むか、あるいは少なくとも１つの監視されるセルを記述する前記情報と、無線デバイスの能力に関する前記情報の両方を含む。処理回路要素は、支援についての要求に応答して、測位参照信号設定情報を受信するように設定される。測位参照信号設定情報は、無線デバイスによる測定のための１つまたは複数の信号を識別する。処理回路要素は、識別された１つまたは複数の信号のうちの少なくとも１つを測定するようにも設定される。
【００１８】
いくつかの実施形態によれば、無線デバイスに測位参照信号設定情報を提供するように設定されたロケーションサーバが、無線デバイスと直接または間接的に通信するために設定された通信回路要素と、通信回路要素に動作可能に結合された処理回路要素とを含む。処理回路要素は、無線デバイスから、支援についての要求を受信するように設定される。支援についての要求は、無線デバイスによって監視される少なくとも１つのセルを記述する情報を含むか、あるいは無線デバイスの、１つまたは複数のＲＡＴの各々に従って送信される信号を測定する能力または測定することについての選好に関する情報を含むか、あるいは少なくとも１つの監視されるセルを記述する情報と、無線デバイスの能力に関する情報の両方を含む。処理回路要素は、支援についての要求に応答して、無線デバイスに測位参照信号設定情報を送るようにも設定される。測位参照信号設定情報は、無線デバイスによる測定のための１つまたは複数の信号を識別する。
【００１９】
本発明のさらなる態様は、上記で要約された方法ならびに上記で要約された装置および無線デバイスの機能的実装形態に対応する、装置、コンピュータプログラム製品またはコンピュータ可読記憶媒体を対象とする。
【００２０】
もちろん、本発明は、上記の特徴および利点に限定されない。当業者は、以下の詳細な説明を読み、添付の図面を見ると、追加の特徴および利点を認識されよう。
【図面の簡単な説明】
【００２１】
【図１】ＬＴＥ測位アーキテクチャを示す図である。
【図２】５Ｇ測位アーキテクチャを示す図である。
【図３】ＵＥが、あるＲＡＴによってサーブされ、ＵＥが別のＲＡＴにおける測定を提供することを要求される、一般的なシナリオを示す図である。
【図４】ＲＳＴＤ測定のマルチラテレーションに基づくＯＴＤＯＡ位置推定を示す図である。
【図５】いくつかの実施形態による、無線デバイスのブロック図である。
【図６】いくつかの実施形態による、無線デバイスによる方法の流れ図である。
【図７】いくつかの実施形態による、ロケーションサーバのブロック図である。
【図８】いくつかの実施形態による、ロケーションサーバによる方法の流れ図である。
【図９】いくつかの実施形態による、別の方法の流れ図である。
【図１０】いくつかの実施形態による、別の方法の流れ図である。
【図１１】いくつかの実施形態による、別の方法の流れ図である。
【図１２】いくつかの実施形態による、中間ネットワークを介してホストコンピュータに接続された電気通信ネットワークを概略的に示す図である。
【図１３】いくつかの実施形態による、ロケーションサーバによって支援されるユーザ機器と、部分的無線接続上で基地局を介して通信する、ホストコンピュータの一般化されたブロック図である。
【図１４】ホストコンピュータと、基地局と、ロケーションサーバと、ユーザ機器とを含む通信システムにおいて実装される例示的な方法を示すフローチャートである。
【図１５】ホストコンピュータと、基地局と、ロケーションサーバと、ユーザ機器とを含む通信システムにおいて実装される例示的な方法を示すフローチャートである。
【図１６】ホストコンピュータと、基地局と、ロケーションサーバと、ユーザ機器とを含む通信システムにおいて実装される例示的な方法を示すフローチャートである。
【図１７】ホストコンピュータと、基地局と、ロケーションサーバと、ユーザ機器とを含む通信システムにおいて実装される例示的な方法を示すフローチャートである。
【図１８】いくつかの実施形態による、無線デバイスの機能的実装形態を示すブロック図である。
【図１９】いくつかの実施形態による、ロケーションサーバの機能的実装形態を示すブロック図である。
【発明を実施するための形態】
【００２２】
次に、発明的概念の実施形態の例が示されている添付の図面を参照しながら、本開示の例示的な実施形態が以下でより十分に説明される。しかしながら、発明的概念は、多くの異なる形態で実施され得、本明細書に記載される実施形態に限定されるものとして解釈されるべきではない。むしろ、これらの実施形態は、本開示が徹底的かつ完全であり、本発明概念の範囲を当業者に十分に伝えるように提供される。これらの実施形態が相互排他的でないことにも留意されたい。一実施形態からの構成要素が、別の実施形態において存在する／使用されると暗に仮定され得る。
【００２３】
本発明の実施形態は、たとえば、サービングＲＡＴ、およびターゲットデバイスがどんなＲＡＴを扱うことができるか、に関する情報をロケーションサーバに送り、代わりに、測位参照信号設定に関する情報を取得する、ターゲット無線デバイス（たとえば、ＵＥ）を伴う。取得された情報によって識別された信号について測定が実施される。
【００２４】
一例では、図５は、いくつかの実施形態による、無線デバイス５０として示されている無線デバイスの図を示す。無線デバイス５０は、セルラーネットワークにおけるＵＥなど、ネットワークにおいて動作し得る任意の無線端末を表すと考えられ得る。他の例は、通信デバイス、ターゲットデバイス、デバイスツーデバイス（Ｄ２Ｄ）ＵＥ、マシン型ＵＥまたはマシンツーマシン通信（Ｍ２Ｍ）が可能なＵＥ、ＵＥを装備したセンサー、ＰＤＡ（携帯情報端末）、タブレット、モバイル端末、スマートフォン、ラップトップ埋込み機器（ＬＥＥ）、ラップトップ搭載機器（ＬＭＥ）、ＵＳＢドングル、顧客構内機器（ＣＰＥ）などを含み得る。
【００２５】
無線デバイス５０は、アンテナ５４およびトランシーバ回路要素５６を介して、ワイドエリアセルラーネットワークにおける無線ネットワークノードまたは基地局と通信するように設定される。トランシーバ回路要素５６は、送信機回路と、受信機回路と、結合された制御回路とを含み得、それらはまとめて、セルラー通信サービスを使用するために、無線アクセス技術に従って信号を送信および受信するように設定される。この説明の目的で、この無線アクセス技術は、ＮＲおよびＬＴＥである。
【００２６】
無線デバイス５０はまた、無線トランシーバ回路要素５６に動作可能に結合された１つまたは複数の処理回路要素５２を含む。処理回路要素５２は、１つまたは複数のデジタル処理回路、たとえば、１つまたは複数のマイクロプロセッサ、マイクロコントローラ、デジタル信号プロセッサ（ＤＳＰ）、フィールドプログラマブルゲートアレイ（ＦＰＧＡ）、複合プログラマブル論理デバイス（ＣＰＬＤ）、特定用途向け集積回路（ＡＳＩＣ）、またはそれらの任意の混合を備える。より一般的には、処理回路要素５２は、固定回路要素またはプログラマブル回路要素を備え得、プログラマブル回路要素は、本明細書で教示される機能性を実装するプログラム命令の実行を介して特別に適応されるか、または固定およびプログラムされた回路要素の何らかの混合を備え得る。処理回路要素５２はマルチコアであり得る。
【００２７】
処理回路要素５２はメモリ６４をも含む。メモリ６４は、いくつかの実施形態では、１つまたは複数のコンピュータプログラム６６および、随意に、設定データ６８を記憶する。メモリ６４は、コンピュータプログラム６６のための非一時的ストレージを与え、非一時的ストレージは、ディスクストレージ、ソリッドステートメモリストレージ、またはそれらの任意の混合など、１つまたは複数のタイプのコンピュータ可読媒体を備え得る。ここで、「非一時的」は、永続的、半永続的、または少なくとも一時的に永続的なストレージを意味し、不揮発性メモリ中の長期ストレージと、たとえば、プログラム実行のためのワーキングメモリ中のストレージとの両方を包含する。非限定的な例として、メモリ６４は、処理回路要素５２中にあり、および／または処理回路要素５２とは別個であり得る、ＳＲＡＭ、ＤＲＡＭ、ＥＥＰＲＯＭ、およびＦＬＡＳＨメモリのうちの任意の１つまたは複数を備える。メモリ６４は、無線デバイス５０によって使用される任意の設定データ６８をも記憶し得る。処理回路要素５２は、たとえば、メモリ６４に記憶された適切なプログラムコードの使用によって、以下で詳述される方法および／またはシグナリングプロセスのうちの１つまたは複数を行うように設定され得る。
【００２８】
無線デバイス５０の処理回路要素５２は、いくつかの実施形態によれば、無線デバイス５０に測位参照信号設定情報を取得させるように設定される。処理回路要素５２は、ロケーションサーバに、支援についての要求を送るように設定される。支援についての要求は、無線デバイスによって監視される少なくとも１つのセルを記述する情報を含むか、無線デバイスの、１つまたは複数のＲＡＴの各々に従って送信される信号を測定する能力または測定することについての選好に関する情報を含むか、あるいは少なくとも１つの監視されるセルを記述する情報と、無線デバイスの能力に関する情報の両方を含む。処理回路要素５２は、支援についての要求に応答して、測位参照信号設定情報を受信するようにも設定される。測位参照信号設定情報は、無線デバイスによる測定のための１つまたは複数の信号を識別する。処理回路要素５２は、識別された１つまたは複数の信号のうちの少なくとも１つを測定するようにも設定される。
【００２９】
処理回路要素５２は、図６に示されている、対応する方法６００を実施するようにも設定される。方法６００は、ロケーションサーバに、支援についての要求を送ること（ブロック６０２）を含み、支援についての要求は、上記で説明された情報を含み得る。方法６００は、支援についての要求に応答して、測位参照信号設定情報を受信すること（ブロック６０４）をも含む。上記で説明されたように、測位参照信号設定情報は、無線デバイスによる測定のための１つまたは複数の信号を識別する。方法６００は、識別された１つまたは複数の信号のうちの少なくとも１つを測定すること（ブロック６０６）をさらに含む。
【００３０】
方法６００は、測定された１つまたは複数の信号についての１つまたは複数の測定を報告すること、および／または測定された１つまたは複数の信号についての１つまたは複数の測定に基づいて、無線デバイスについてのロケーションを推定することを含み得る。
【００３１】
いくつかの場合には、方法６００は、送ることより前に、無線デバイスについての測位能力情報についての要求を受信することと、測位能力情報についての要求に応答して、無線デバイスについての測位能力情報を送ることとを含む。測位能力情報は、無線デバイスの、１つまたは複数のＲＡＴの各々に従って信号を測定する能力または測定することについての選好を示し得る。測位能力情報は、マルチＲＡＴ動作に関する現在の無線デバイス設定、１つまたは複数のＲＡＴの指示であって、無線デバイスが、１つまたは複数のＲＡＴに従って測位支援データを受信することが可能であるかまたは受信することを選好する、１つまたは複数のＲＡＴの指示、１つまたは複数のＲＡＴの指示であって、無線デバイスが、１つまたは複数のＲＡＴに従って測位測定の結果を報告することが可能であるかまたは報告することを選好する、１つまたは複数のＲＡＴの指示、無線デバイスが、設定された１次セルを有する、１つまたは複数のＲＡＴの指示、無線デバイスが、並列に複数のＲＡＴに従って信号の測位測定を実施することが可能であるおよび／または実施することを選好するかどうかの指示、サポートされるＲＡＴのうちの１つまたは複数の各々に従う測位測定のためのセルおよび／または周波数の最大数の指示、サポートされるＲＡＴのうちの１つまたは複数の各々に従う測位測定のためのキャリア周波数のセットまたは範囲の指示、サポートされるＲＡＴのうちの１つまたは複数の各々に従うサポートされる（１つまたは複数の）帯域幅の指示、ならびに／あるいは１つまたは複数のサポートされるＲＡＴの各々に関する無線デバイスのヌメロロジー能力の指示を含み得る。
【００３２】
無線デバイスは、第１のＲＡＴに従って動作する１次セルによってサーブされ得、方法６００は、第１のＲＡＴとは異なる、第２のＲＡＴに従って動作する最も強いセルを識別することを含み得る。支援についての要求は、第２のＲＡＴに従って動作する識別された最も強いセルを識別する情報を含み得る。方法６００は、最も強いセルを識別することより前に、第２のＲＡＴに従う信号を監視するための測定ギャップを確立することをさらに含み得る。この、測定ギャップを確立することは、第１のＲＡＴにおける１次セルを介して測定ギャップを要求すること、または測定ギャップを自律的にセットアップすることを含み得る。
【００３３】
いくつかの場合には、支援についての要求は、第１のＲＡＴに従って無線デバイスにサーブする１次セルを記述する情報を含み得る。この情報は、１次セルのためのセル識別子、１次セルのためのキャリア周波数、サービング同期信号ブロック（サービングＳＳＢ）の周波数、ＳＳＢの識別子、トラッキング参照信号識別子、チャネル状態情報参照信号の識別子、および１次セルのためのタイミング情報を含み得る。
【００３４】
支援についての要求は、無線デバイスにサーブする１次セル以外の、無線デバイスにサーブする１つまたは複数のセルを記述する情報を含み得る。測位参照信号設定情報は、無線デバイスによる測定のための識別された信号のうちの１つまたは複数のためのタイミング情報を含み得る。無線デバイスによる、識別された１つまたは複数の信号のうちの少なくとも１つの測定は、タイミング情報を使用することを含み得る。
【００３５】
対応して、図７は、ロケーションサーバ３０として示されている、無線デバイスに測位参照信号設定情報を提供するように設定され得るロケーションサーバの図を示す。ロケーションサーバ３０、または少なくともロケーションサーバ３０の機能性は、１つまたは複数のノード中にあり得る。ロケーションサーバ３０は、基地局（たとえば、ｅＮＢおよび／またはｇＮＢ）からなる無線アクセスネットワーク（ＲＡＮ）内にあり得るか、あるいはロケーションサーバ３０は、ＲＡＮの一部であるか、または完全に外部にあり得る。ロケーションサーバ３０は、いくつかの場合には、基地局の一部であるか、または基地局中にあり得る。以下で説明される非限定的な実施形態では、ロケーションサーバ３０は、無線デバイスに測位参照信号設定情報を提供するように設定されているものとして説明され、これは、ＬＴＥネットワークまたはＮＲネットワークにおけるセルラーネットワークアクセスノード内での無線デバイスの動作を支援し得る。
【００３６】
当業者は、ロケーションサーバ３０、またはロケーションサーバ３０の機能性を提供する複数のノードが、たとえば、処理回路要素３２による実行のための適切なプログラム命令の変更および／または追加を通して、どのように、本明細書で説明される方法およびシグナリングプロセスのうちの１つまたは複数を行うように適応され得るかを容易に諒解するであろう。
【００３７】
ロケーションサーバ３０は、測位参照信号設定情報を受信すべきである無線デバイス５０と、直接または間接的にのいずれかで通信するための通信回路要素を含む。通信回路要素は、無線デバイス５０との通信の性質に応じて、無線デバイス５０と通信していることがある、コアネットワークにおける他のノード、無線ノード、および／またはネットワークにおける他のタイプのノードと通信するための通信インターフェース回路要素３８を含み得る。ロケーションサーバ３０はまた、アンテナ３４およびトランシーバ回路要素３６を使用して、無線デバイスと直接通信し得る。トランシーバ回路要素３６は、送信機回路と、受信機回路と、結合された制御回路とを含み得、それらはまとめて、セルラー通信サービスを提供するおよび／またはセルラー通信サービスを支援するために、無線アクセス技術に従って信号を送信および受信するように設定される。
【００３８】
ロケーションサーバ３０は、トランシーバ回路要素３６、およびいくつかの場合には、通信インターフェース回路要素３８に動作可能に結合された、１つまたは複数の処理回路要素３２をも含む。処理回路要素３２は、１つまたは複数のデジタルプロセッサ４２、たとえば、１つまたは複数のマイクロプロセッサ、マイクロコントローラ、ＤＳＰ、ＦＰＧＡ、ＣＰＬＤ、ＡＳＩＣ、またはそれらの任意の混合を備える。より一般的には、処理回路要素３２は、固定回路要素またはプログラマブル回路要素を備え得、プログラマブル回路要素は、本明細書で教示される機能性を実装するプログラム命令の実行を介して特別に設定されるか、または固定およびプログラムされた回路要素の何らかの混合を備え得る。プロセッサ４２は、マルチコアであり、すなわち、向上した性能、低減された電力消費、および複数のタスクのより効率的な同時処理のために利用される２つまたはそれ以上のプロセッサコアを有し得る。
【００３９】
処理回路要素３２はメモリ４４をも含む。メモリ４４は、いくつかの実施形態では、１つまたは複数のコンピュータプログラム４６および、随意に、設定データ４８を記憶する。メモリ４４は、コンピュータプログラム４６のための非一時的ストレージを与え、非一時的ストレージは、ディスクストレージ、ソリッドステートメモリストレージ、またはそれらの任意の混合など、１つまたは複数のタイプのコンピュータ可読媒体を備え得る。非限定的な例として、メモリ４４は、処理回路要素３２中にあり、および／または処理回路要素３２とは別個であり得る、ＳＲＡＭ、ＤＲＡＭ、ＥＥＰＲＯＭ、およびＦＬＡＳＨメモリのうちの任意の１つまたは複数を備える。メモリ４４は、ネットワークアクセスノード３０によって使用される任意の設定データ４８をも記憶し得る。処理回路要素３２は、たとえば、メモリ４４に記憶された適切なプログラムコードの使用によって、以下で詳述される方法および／またはシグナリングプロセスのうちの１つまたは複数を行うように設定され得る。
【００４０】
ロケーションサーバ３０の処理回路要素３２は、いくつかの実施形態によれば、無線デバイスに測位参照信号設定情報を提供するように設定される。処理回路要素３２は、無線デバイスから、支援についての要求を受信するように設定される。支援についての要求は、無線デバイスによって監視される少なくとも１つのセルを記述する情報を含むか、無線デバイスの、１つまたは複数のＲＡＴの各々に従って送信される信号を測定する能力または測定することについての選好に関する情報を含むか、あるいは少なくとも１つの監視されるセルを記述する情報と、無線デバイスの能力に関する情報の両方を含む。処理回路要素３２は、支援についての要求に応答して、無線デバイスに測位参照信号設定情報を送るようにも設定される。測位参照信号設定情報は、無線デバイスによる測定のための１つまたは複数の信号を識別する。測位参照信号設定情報中に含まれ得るものの例は、無線デバイスの説明において上記で提供された。
【００４１】
ロケーションサーバ３０の処理回路要素３２は、図８に示されているような、対応する方法８００を実施するようにも設定され得る。方法８００は、無線デバイスから、支援についての要求を受信すること（ブロック８０２）を含む。支援についての要求は、上記で説明された情報を含む。方法８００は、支援についての要求に応答して、無線デバイスに測位参照信号設定情報を送ること（ブロック８０４）をも含む。測位参照信号設定情報は、無線デバイスによる測定のための１つまたは複数の信号を識別する。
【００４２】
方法８００は、無線デバイスから、識別された１つまたは複数の信号の１つまたは複数の測定のリポートを受信することをさらに含み得る。方法８００は、次いで、リポートに基づいて、無線デバイスについてのロケーションを推定することを含み得る。
【００４３】
いくつかの場合には、方法８００は、支援についての要求を受信することより前に、無線デバイスについての測位能力情報についての要求を送ることと、測位能力情報についての要求に応答して、無線デバイスについての測位能力情報を受信することとを含む。方法８００は、１つまたは複数のＲＡＴの各々に従って信号を測定する示された能力または測定することについての選好に基づいて、無線デバイスによる測定のための１つまたは複数の信号を選択することをも含み得る。
【００４４】
支援についての要求は、第１のＲＡＴとは異なる第２のＲＡＴに従って動作するセルを識別する情報を含み得、無線デバイスが第１のＲＡＴに従ってサーブされており、方法８００は、次いで、識別されたセルに基づいて、無線デバイスによる測定のための１つまたは複数の信号を選択することを含み得る。支援についての要求は、第１のＲＡＴに従って無線デバイスにサーブする１次セルを記述する情報をも含み得、方法８００は、次いで、１次セルを記述する情報に基づいて、無線デバイスによる測定のための１つまたは複数の信号を選択することを含み得る。
【００４５】
図９は、いくつかの実施形態による、これらの技法の方法９００の例示的な全体的流れ図を示す。随意に、ターゲット無線デバイス（たとえば、無線デバイス５０）は、ロケーションサーバ（たとえば、ロケーションサーバ３０）によって、測位に関連するＵＥ能力を提供することを要求され（ブロック９０２）、随意に、ターゲットデバイスは、ロケーションサーバにそのようなＵＥ能力を提供する（ブロック９０４）。ＵＥ能力のセットは、ターゲットデバイスがどんなＲＡＴ上で測定することが可能であるかまたは測定することを選好するかを含み得る。
【００４６】
無線デバイスは、ロケーションサーバに支援データを要求する（ブロック９０６）。要求は、（１つまたは複数の）サービング基地局におけるサーブされる（１つまたは複数の）セルの拡張された記述、および／またはターゲットデバイスがどんなＲＡＴを扱うことができるかに関する情報を含む。代わりに、ターゲットデバイスは、異なるまたは同じＲＡＴにおける基地局からの信号に関係する測位参照信号設定情報を取得する（ブロック９０８）。ターゲットデバイスは、測位参照信号を探索するとき、および測位参照信号に対して測定するとき、設定情報を使用する（ブロック９１０）。随意に、ターゲットデバイスは、ロケーションサーバに、測位測定を提供し、および／または位置を推定し、および測位推定を提供する（ブロック９１２）。
【００４７】
図１０は、いくつかの実施形態による、ロケーションサーバの観点からのそのような技法のための方法１０００を示す。随意に、ロケーションサーバは、測位に関連するＵＥ能力を提供することをターゲットデバイスに要求し（ブロック１００２）、随意に、ロケーションサーバは、ターゲットデバイスから、そのようなＵＥ能力を取得する（ブロック１００４）。ＵＥ能力のセットは、ＵＥがどんなＲＡＴ上で測定することが可能であるかを含み得る。
【００４８】
ロケーションサーバは、次いで、ターゲットデバイスから、支援データ要求を取得する（ブロック１００６）。要求は、サーブされる１次セルの拡張された記述および／またはターゲットデバイスがどんなＲＡＴを扱うことができるかに関する情報を含む。要求は、サービング基地局におけるサーブされる１次セルの拡張された記述、および／またはターゲットデバイスがどんなＲＡＴを扱うことができるかに関する情報を含む。代わりに、ロケーションサーバは、異なるＲＡＴまたは同じＲＡＴにおける基地局からの信号についての測位測定のための無線信号設定を提供する（ブロック１００８）。随意に、ロケーションサーバは、ターゲットデバイスから測位測定および／または位置推定を取得する（ブロック１０１０）。ＵＥは、測定を実施し、それらの測定をネットワークノードに報告し得る。ＵＥは、ＵＥのロケーションを決定するためにそれらの測定を使用するか、あるいはそれらの測定および／またはＵＥのロケーションを、ＵＥ中のロケーションアプリケーションまたはロケーションベースアプリケーションに提供し得る。
【００４９】
ＵＥ能力ハンドリング
本明細書の実施形態によれば、ＵＥがＵＥの能力を提供し得、ロケーションサーバ（たとえば、ネットワークノード、基地局、測位ノードまたは測位サーバ）がＵＥ能力を受信し得る。さらに、ロケーションサーバはまた、ＵＥにそのような能力を要求し得、ＵＥはそのような要求を受信し得る。さらに、ＵＥ能力を受信すると、ロケーションサーバは、ＵＥが測位測定を実施することを可能にするために、支援データを作成し、ＵＥにその支援データを提供すること、ＵＥの能力に従う測位測定のためにＵＥによって使用されるべき１つまたは複数の信号を設定すること、ＵＥのための測位測定のために（１つまたは複数の）ＲＡＴを選択すること、ＵＥに測位支援データを提供するために（１つまたは複数の）ＲＡＴを選択すること（たとえば、支援データは、ＬＴＥ  ＰＣｅｌｌおよび／またはＮＲ  ＰＳＣｅｌｌを介して提供され得、異なる測定または測定タイプが異なるＲＡＴを介して要求され得る）、ＵＥによって測位測定のＵＥの１つまたは複数の結果を報告するために（１つまたは複数の）ＲＡＴを選択すること、ならびに／あるいは測位測定のために、第１のＲＡＴに属するセルの第１のセットおよび／または数、および第２のＲＡＴに属するセルの第２のセットおよび／または数を決定することを行うために、この能力情報を使用し得る。
【００５０】
図９中の９０４において、ＵＥは、マルチＲＡＴネットワーク展開において動作するＵＥのアビリティ（ａｂｉｌｉｔｙ）に関係するＵＥの能力を提供する。一例では、ＲＡＴに関係するＵＥ能力は、静的であり得、すなわち、ＵＥは、常にこれが可能である。別の例では、ＵＥ能力は、現在の（１つまたは複数の）ＵＥサービングセル設定に基づきおよび依存し得、たとえば、提供される能力は、ＵＥが１つのサービングセルを伴って設定されたとき、ＵＥが２つまたはそれ以上のサービングセルまたはキャリアアグリゲーションを伴って設定されたとき、ＵＥがデュアルコネクティビティまたはマルチコネクティビティ（たとえば、ＰＣｅｌｌおよび１つまたは複数のＰＳＣｅｌｌ）を伴って設定されたとき、異なり得る。また別の例では、提供される能力は、ＰＣｅｌｌがどのＲＡＴに属するかに依存する。また別の例では、提供される能力は、その能力についての要求がどのＲＡＴから受信されるか、またはその要求が（同じＲＡＴまたは異なるＲＡＴのものであり得る）ＰＳＣｅｌｌから受信されるのかＰＣｅｌｌから受信されるのかに依存する。
【００５１】
提供される能力は、ＵＥが、常にまたは現在のＵＥ設定を用いて、測位目的のために測定を実施することが可能であるかまたは実施することを選好する、１つまたは複数のＲＡＴの指示、ＵＥが、ＵＥが測位測定を実施することを可能にする測位支援データ（たとえば、ＯＴＤＯＡ支援データまたはＥ−ＣＩＤ支援データ）を受信することが可能であるかまたは受信することを選好する、（１つまたは複数の）ＲＡＴの指示、ＵＥが、測位測定の１つまたは複数の結果を報告することが可能であるかまたは報告することを選好する、（１つまたは複数の）ＲＡＴの指示、ＵＥがＰＣｅｌｌおよび／またはＰＳＣｅｌｌを設定され得るかまたは設定される、（１つまたは複数の）ＲＡＴの指示（たとえば、ＬＴＥはＰＣｅｌｌであり得るが、ＮＲはＰＣｅｌｌでないことがある、またはＬＴＥはＰＣｅｌｌであり、ＮＲはＰＳＣｅｌｌであるか、もしくはＮＲはＰＣｅｌｌである、など）、ＵＥが、並列に複数のＲＡＴにおいて測位測定を実施することが可能であるおよび／または実施することを選好するかどうかの指示、サポートされるＲＡＴのうちの１つまたは複数の各々における測位測定のためのセルおよび／または周波数の最大数、サポートされるＲＡＴのうちの１つまたは複数の各々における測位測定のためのキャリア周波数のセットまたは範囲の指示、サポートされるＲＡＴのうちの１つまたは複数の各々におけるサポートされる（１つまたは複数の）帯域幅の指示、ならびに／あるいは特定の（１つまたは複数の）キャリア周波数および／またはＲＡＴにさらに関連し得るＵＥヌメロロジー能力（たとえば、ＣＰ長、サブキャリア間隔、ミニスロット長、シンボル長、何らかの期間にわたるまたはシンボルもしくはサブフレームなど、同じ時間インスタンスにおける並列の複数のヌメロロジーのサポートの指示）を含み得る。
【００５２】
拡張された支援データ要求
レガシープロセスでは、ターゲットデバイスは、（１つまたは複数の）サービングセルに関する情報（たとえば、ＬＴＥ  ＰＣｅｌｌおよび／またはＮＲ  ＰＣｅｌｌおよび／またはＮＲ  ＰＳＣｅｌｌ）を、そのセルの物理セル識別子を使用してロケーションサーバに提供する。さらに、ターゲットデバイスは、支援データのタイプ、ＬＴＥ測位参照信号または狭帯域モノのインターネット（ＮＢ−ＩｏＴ）測位参照信号に関する情報を提供することができる。ＬＰＰ要求は、以下の通りである。
2020537429.tif 000003
【００５３】
一実施形態では、ターゲットデバイスは、Ｅ−ＵＴＲＡＮまたはＮＲなど、特定のＲＡＴのための支援データを要求し得る。１つの例示的なモードでは、シグナリングは、一部分が太字で強調された、以下の例に記載のようなものであり得る。
2020537429.tif 000004
【００５４】
ブロック９０８の詳細は、２つの主要な代替形態、すなわち、ＬＴＥセルを検出し、参照としてそのＬＴＥセルを使用すること、または参照としてサービングセルを使用することとともに、このセクションでさらに説明される。
【００５５】
参照としての検出されたＬＴＥセル
一実施形態では、ターゲットデバイスは、ＯＴＤＯＡ支援データ要求を送信する前に、最も強いＬＴＥセルを検出および識別しなければならない。図１１のフローチャートは、この実施形態の詳細なステップの方法１１００について説明する。ＵＥは、支援データ要求を始動することを決定する（ブロック１１０２）。ＵＥが、異なるＲＡＴを監視するために測定ギャップを必要とし、自律ギャップを始動することを可能にされる場合、ＵＥは、自律ギャップを始動することになる（ブロック１１０４）。自律ギャップは、ＵＥによって決定されるギャップであり、ＵＥは、ギャップ中にアップリンク送信およびダウンリンク送信を無視する。あるモードでは、ＵＥは、サービング基地局による自律ギャップを使用するための許可を要求する。別のモードでは、ＵＥは、自律ギャップを使用するように事前設定される。
【００５６】
代替的に、ＵＥは、サービング基地局に測定ギャップを要求し得る（ブロック１１０６）。測定ギャップ中に、ＵＥは、いかなるダウンリンク送信もいかなるアップリンクグラントも予想しない。次いで、ＵＥは、異なるＲＡＴにおいて、最も好都合な、または少なくとも許容できるセルを探索し、物理セルＩＤおよび／または時間同期情報（たとえば、ＳＦＮ）を取り出す（ブロック１１０８）。この情報を用いて、ＵＥは、支援データ要求を準備する（ブロック１１１０）。
【００５７】
参照としてのサービングセル
代替的に、ターゲットデバイスは、サービングＲＡＴからの情報を使用する。ターゲットデバイスが、いくつかのＲＡＴのうちの１つによってサーブされ得る場合、ターゲットデバイスは、そのＲＡＴに関するより多くの情報をも提供する必要がある。一実施形態では、ターゲットデバイスは、サービングセルのＲＡＴをも提供する。これをサポートするためのシグナリングは、サービングセルのＲＡＴを示す情報エレメントに基づき得る。
【００５８】
その実施形態のあるモードでは、ＲＡＴタイプが省略される場合、ロケーションサーバは、たとえば、ＲＡＴタイプがＬＴＥ／Ｅ−ＵＴＲＡＮまたはＮＲであるデフォルトＲＡＴを仮定することができる。
【００５９】
その実施形態の別のモードでは、ＬＰＰにおけるＯＴＤＯＡ支援データ要求は、以下に従って変更される。
2020537429.tif 000005
【００６０】
その上、物理セル識別子の範囲があまりに狭いことがある。したがって、一実施形態では、ターゲットデバイスは、拡張された値範囲を介して情報を提供する必要があり得る。
【００６１】
たとえば、ターゲットデバイスは、随意のより上位のビットを提供し得る。その場合、範囲０〜１００７におけるＮＲ物理セル識別情報とＬＴＥ物理セル識別情報０〜５０３とを用いて、以下のように、１つの追加のビットのみを用いて、拡張された範囲を表すことが可能である。
ｐｈｙｓＣｅｌｌＩｄ−ｅｘｔ  ＩＮＴＥＧＥＲ（１）    ＯＰＴＩＯＮＡＬ
ｐｈｙｓＣｅｌｌＩｄ−ｅｘｔが提供される場合、
ｐｈｙｓＣｅｌｌＩＤ＋５０４
として、符号化された物理セルＩＤを規定するテキストをもつ。
他の符号化も可能である、たとえば、
ｐｈｙｓＣｅｌｌＩｄ−ｅｘｔ  ＩＮＴＥＧＥＲ（５０４）    ＯＰＴＩＯＮＡＬ
ｐｈｙｓＣｅｌｌＩｄ−ｅｘｔが提供される場合、
ｐｈｙｓＣｅｌｌＩＤ＋ｐｈｙｓＣｅｌｌＩｄ−ｅｘｔ
として、符号化された物理セルＩＤを規定するテキストをもつ。
これはまた、以下のように、拡張のためにオープンにすることによって古くならないようにされ得る。
ｐｈｙｓＣｅｌｌＩｄ−ｅｘｔ  ＥＮＵＭＥＲＡＴＥ（５０４、．．．）    ＯＰＴＩＯＮＡＬ
ｐｈｙｓＣｅｌｌＩｄ−ｅｘｔが提供される場合、
ｐｈｙｓＣｅｌｌＩＤ＋ｐｈｙｓＣｅｌｌＩｄ−ｅｘｔ
として、符号化された物理セルＩＤを規定するテキストをもつ。
【００６２】
さらに、ＮＲは、複数のビームに基づく実装形態をサポートするので、ターゲットデバイスは、また別の実施形態では、そのようなビームに関する情報をも提供することができる。ＮＲの物理セル識別情報は、各々がＳＳブロックＩＤを有する、１つまたは複数のＳＳ（同期ソース）ブロック（ＳＳＢ）に関連付けられ得る。その上、ＳＳブロックは、キャリア周波数を中心とする無線リソースを割り振られ得るが、オフセットをもつ周波数リソースをも割り振られ得る。このオフセットは、ＳＳブロック固有であり得る。ターゲットデバイスはまた、ターゲットデバイスが同期参照として使用する、トラッキング参照信号（ＴＲＳ）と標示される、特定のビームフォーミングされた参照信号によってサーブされ得る。さらに、この参照信号に関連する異なるビームが、ＴＲＳに関連する個々の参照信号（チャネル状態情報参照信号（ＣＳＩ−ＲＳ））を割り振られ得る。ＮＲ固有情報は、サービングＳＳブロックの周波数、関連するＳＳＢ、またはＳＳＢ  ＩＤ、ＴＲＳ  ＩＤ、および／あるいはＣＳＩ−ＲＳ−ＩＤを含み得る。
【００６３】
１つのＲＡＴにおけるセルのタイミングが、測位参照信号が送信されるＲＡＴにおけるセルのタイミングとは異なり得るので、一実施形態では、ＳＦＮに関する情報を含めることも重要であり得る。たとえば、拡張された支援データ要求（またはロケーションサーバに送られるＵＥ情報、このＵＥ情報に基づいてロケーションサーバはＵＥに支援データを提供することが可能になる）は、設定されたおよび／またはアクティブ化された（１つまたは複数の）ＵＥサービングセルのセットまたはリスト（たとえば、ＰＣｅｌｌ、ＰＳＣｅｌｌ、ＳＣｅｌｌなどのうちのいずれか１つまたは複数）ならびに／あるいはサービングセルの関連する（１つまたは複数の）ＲＡＴの指示を含み得る。
【００６４】
サービングセルは、たとえば、ＰＣＩ（すべてのサポートされるまたは示されるＲＡＴについて同じＰＣＩ範囲を有することも有しないこともある）、ＣＧＩ（セルグローバル識別）など、識別情報によって記述され得る。１つまたは複数のセルが、キャリア周波数、帯域幅、または以下に記載される情報タイプのいずれかにさらに関連し得る。
【００６５】
拡張された支援データ要求は、ＲＡＴのセットが、ＰＣｅｌｌのＲＡＴを含むことも含まないこともある、測位測定のためにＵＥによってサポートされる１つまたは複数のＲＡＴにおいて送信される無線信号の１つまたは複数の設定パラメータ（たとえば、ＳＳブロック設定、ＰＲＳ設定、ＣＳＩ−ＲＳ設定など）、ＲＡＴのセットが、ＰＣｅｌｌのＲＡＴを含むことも含まないこともある、キャリア周波数、ＡＲＦＣＮ、または測位測定のためのＵＥによってサポートされる１つまたは複数のＲＡＴの（１つまたは複数の）周波数範囲、ＲＡＴのセットが、ＰＣｅｌｌのＲＡＴを含むことも含まないこともある、測位測定のための、ＵＥによってサポートされる１つまたは複数のＲＡＴの帯域幅（チャネル帯域幅、ＵＥ測定帯域幅、ＵＥ動作帯域幅、現在のＵＥ  ＲＦ帯域幅、（１つまたは複数の）特定の無線信号送信帯域幅など）、ならびに／あるいは、ＲＡＴのセットが、ＰＣｅｌｌのＲＡＴを含むことも含まないこともある、キャリア周波数および／または（１つまたは複数の）ＲＡＴに関連するヌメロロジー設定（たとえば、ＣＰ長、サブキャリア間隔、スロット長、ミニスロット長、シンボル長など）をも含み得る。
【００６６】
拡張された支援データ要求は、第２のＲＡＴが参照ＲＡＴまたはＰＣｅｌｌ  ＲＡＴとは異なる、第２のＲＡＴのタイミング情報、あるいは第１のＲＡＴに関する第２のＲＡＴのタイミング情報をも含み得る。たとえば、これは、ＬＴＥ  ＳＦＮ＃ｘとＮＲ  ＳＦＮ＃ｙとの間のオフセット、２つのＲＡＴの２つの特定の無線フレーム間のまたは無線フレーム境界間のオフセット、２つのＲＡＴの２つの特定のサブフレーム間のまたはサブフレーム境界間のオフセット、あるいは２つのＲＡＴ間の同期レベルの指示などであり得る。
【００６７】
ＵＥは、各ＲＡＴについての情報を（たとえば、その情報が、参照ＲＡＴまたはあらかじめ規定されたＲＡＴと比較して、たとえば、ＬＴＥと比較してまたはＰＣｅｌｌのＲＡＴと比較して、同じであるのか異なるのかを示すことによって）明示的にまたは暗黙的に提供し得る。
【００６８】
測位測定のための無線信号設定
測位測定のための無線信号設定は、たとえば、ＵＥが、測位測定のために使用されるべき信号がＵＥによる受信のためにいつ送信され、利用可能であるかを正しく決定することを可能にするために、明確に規定されたタイミング参照に関連付けられる必要があり得る。測位測定のための無線信号設定は、測位測定のための支援データにおいて提供され得る。測位測定の例は、ＵＥロケーションを決定するために使用され得るタイミング測定、たとえば、ＲＳＴＤ、ＴＯＡ、ＴＤＯＡ、ＯＴＤＯＡ測定、Ｒｘ−Ｔｘ時間差測定、ラウンドトリップタイムなどである。無線信号の例は、測位参照信号（ＰＲＳ）、ＮＲ  ＳＳブロック中に備えられる１つまたは複数の信号、同期信号、ＤＭＲＳ信号、ＣＳＩ−ＲＳ信号などである。
【００６９】
一実施形態では、タイミング参照は、サービングＲＡＴおよびサービングセルのタイミングに関連する。ＮＲのためのあるモードでは、これは、ＮＲシステムフレーム番号＃ｘ、たとえば、ＮＲ  ＳＦＮ０またはＮＲ  ＳＦＮ＃ｙ  ｍｏｄ  最大ＬＴＥ  ＳＦＮである。別の例では、タイミング参照は、ＮＲ  ＳＦＮおよびＬＴＥ  ＳＦＮに応じて決定される。
【００７０】
別の実施形態では、タイミング参照はＬＴＥに関連する。これは、ＵＥが、サービングＬＴＥセルからのおよび／または（一般に）最も強いＬＴＥセルからのＬＴＥシステム情報からシステムフレーム番号を取り出す必要があることを意味する。
【００７１】
支援データ設定
本明細書では、ＵＥは、ロケーションサーバまたはネットワークノードからの支援データを受信しており、「理解しており」、使用しており、ロケーションサーバは、ＵＥにおける測位測定を可能にするために、支援データを作成しており、支援データをＵＥに送っている。ＵＥは、測位測定のために、測位測定を実施するために、測位測定の１つまたは複数の結果をロケーションサーバに報告するために、ＵＥのロケーションを決定するためになど、無線信号を受信するようにＵＥの受信機を設定するために、支援データを使用し得る。
【００７２】
支援データは、少なくとも、拡張された支援データ要求中でＵＥによって提供される情報に基づき、ＵＥ能力にも基づき得る。たとえば、ＴＤＯＡ測定のための参照セルは、ＵＥによって提供される情報に基づいて選択され得る。測定されるべきセルのセットまたはリストは、ＵＥによって提供される情報に基づいて決定され得る。ＵＥが測位測定を実施することを要求されるＲＡＴのセットは、ＵＥによって提供される情報に基づいて決定され得る。（たとえば、参照セルおよび測定されたセルの２つの時間インスタンス間の）時間のオフセットが、ＵＥによって提供される情報に基づいて決定され得、オフセットが関係するＲＡＴのＳＦＮ範囲にさらに依存し得る。測位測定のために使用されるべき帯域幅は、ＵＥによって提供される情報に基づいて決定され得る。要求された測定は、ＵＥによってサポートまたは選好されるヌメロロジーのうちの１つまたは複数におけるものであり得る。参照セルおよびすべての測定されたセルは、ＵＥによってサポートされる同じ１つのヌメロロジーに基づくように選択され得る。ＵＥが、第１のＲＡＴにおける少なくとも１つのサービングセル（たとえば、ＰＣｅｌｌ）と、第２のＲＡＴにおける少なくとも第２のサービングセル（たとえば、ＰＳＣｅｌｌまたはＳＣｅｌｌ）とを伴って設定されたとき、ＯＴＤＯＡ測定のための複数の参照セル、たとえば、ＲＡＴごとに１つの参照セルが、ＵＥに提供され得る。（たとえば、ＲＳＴＤまたはＯＴＤＯＡ測定などのための）参照セルに加えて、支援データは、参照ＲＡＴをも含み得る。
【００７３】
ＵＥは、支援データを要求するために関連情報をどのように取り出すかを決定するように設定され得る。あるモードでは、ＵＥの処理回路要素は、ＵＥの無線回路要素に、セル識別子を取り出すために、Ｅ−ＵＴＲＡＮに移り、Ｅ−ＵＴＲＡＮセル情報を検出および復号するように命令するように設定される。別のモードでは、処理回路要素は、無線回路要素に、サービングＮＲセル情報から情報を取り出すように命令するように設定される。処理回路要素は、測定ギャップの必要を決定し、必要であると見なされる場合、いずれか、ＵＥの無線回路要素に、サービング基地局に測定ギャップを要求するように命令するようにも設定され得る。
【００７４】
ＵＥの処理回路要素は、ロケーションサーバによって提供される情報とともに無線回路要素を介して取り出されるタイミング情報に基づいて、測位参照信号および／または他の信号のタイミングを決定するようにさらに設定され得る。ＵＥのメモリは、サービングＮＲ基地局およびセルに関連する情報、ならびに異なるＲＡＴにおけるセルおよび／または信号に関する情報を記憶するように設定され得る。ＵＥの無線回路要素は、サーブされるＵＥからの測定報告を設定することを含む、サーブされるＵＥと通信することを行うように設定され得る。無線回路要素は、ロケーションサーバへのＵＥの測定報告を再設定するように設定され得る。
【００７５】
図１２は、いくつかの実施形態による、無線アクセスネットワークなどのアクセスネットワーク１２１１とコアネットワーク１２１４とを備える、３ＧＰＰタイプセルラーネットワークなどの電気通信ネットワーク１２１０を含む通信システムを示す。アクセスネットワーク１２１１は、ＮＢ、ｅＮＢ、ｇＮＢまたは他のタイプの無線アクセスポイントなど、複数の基地局１２１２ａ、１２１２ｂ、１２１２ｃを備え、各々、対応するカバレッジエリア１２１３ａ、１２１３ｂ、１２１３ｃを規定する。各基地局１２１２ａ、１２１２ｂ、１２１２ｃは、有線接続または無線接続１２１５を介してコアネットワーク１２１４に接続可能である。カバレッジエリア１２１３ｃ中に位置する第１のユーザ機器（ＵＥ）１２９１は、対応する基地局１２１２ｃに無線で接続するか、または対応する基地局１２１２ｃによってページングされるように設定される。カバレッジエリア１２１３ａ中の第２のＵＥ１２９２が、対応する基地局１２１２ａに無線で接続可能である。この例では複数のＵＥ１２９１、１２９２が示されているが、開示される実施形態は、唯一のＵＥがカバレッジエリア中にある状況、または唯一のＵＥが対応する基地局１２１２に接続している状況に等しくに適用可能である。
【００７６】
ロケーションサーバ１２４０は、ＵＥに測位参照信号設定情報を提供するために存在し得る。ロケーションサーバ１２４０は、アクセスネットワーク１２１１の中および／または外にあり得る１つまたは複数のノードからなり得る。いくつかの場合には、ロケーションサーバ１２４０は、電気通信ネットワーク１２１０中にある。他の場合には、ロケーションサーバ１２４０は、電気通信ネットワーク１２１０の外側に位置する。
【００７７】
電気通信ネットワーク１２１０は、それ自体、ホストコンピュータ１２３０に接続され、ホストコンピュータ１２３０は、スタンドアロンサーバ、クラウド実装サーバ、分散型サーバのハードウェアおよび／またはソフトウェアで、あるいはサーバファーム中の処理リソースとして具現され得る。ホストコンピュータ１２３０は、サービスプロバイダの所有または制御下にあり得るか、あるいはサービスプロバイダによってまたはサービスプロバイダの代わりに動作され得る。電気通信ネットワーク１２１０とホストコンピュータ１２３０との間の接続１２２１、１２２２が、コアネットワーク１２１４からホストコンピュータ１２３０まで直接延び得るか、または随意の中間ネットワーク１２２０を介して進み得る。中間ネットワーク１２２０は、公衆ネットワーク、プライベートネットワーク、またはホストされたネットワークのうちの１つ、あるいはそれらのうちの２つ以上の組合せであり得、中間ネットワーク１２２０は、もしあれば、バックボーンネットワークまたはインターネットであり得、特に、中間ネットワーク１２２０は、２つまたはそれ以上のサブネットワーク（図示せず）を備え得る。
【００７８】
図１２の通信システムは全体として、接続されたＵＥ１２９１、１２９２のうちの１つとホストコンピュータ１２３０との間のコネクティビティを可能にする。コネクティビティは、オーバーザトップ（ＯＴＴ：ｏｖｅｒ−ｔｈｅ−ｔｏｐ）接続１２５０として説明され得る。ホストコンピュータ１２３０および接続されたＵＥ１２９１、１２９２は、アクセスネットワーク１２１１、コアネットワーク１２１４、任意の中間ネットワーク１２２０および可能なさらなるインフラストラクチャ（図示せず）を媒介として使用して、ＯＴＴ接続１２５０を介して、データおよび／またはシグナリングを通信するように設定される。ＯＴＴ接続１２５０は、ＯＴＴ接続１２５０が通過する、参加する通信デバイスが、アップリンクおよびダウンリンク通信のルーティングに気づいていないという点で、透過的であり得る。たとえば、基地局１２１２は、接続されたＵＥ１２９１にフォワーディング（たとえば、ハンドオーバ）されるべき、ホストコンピュータ１２３０から発生したデータを伴う着信ダウンリンク通信の過去のルーティングに関して、通知されないことがあり、または通知される必要がない。同様に、基地局１２１２は、ＵＥ１２９１から発生してホストコンピュータ１２３０に向かう発信アップリンク通信の将来ルーティングに気づいている必要がない。
【００７９】
次に、一実施形態による、前の段落において説明されたＵＥ、基地局およびホストコンピュータの例示的な実装形態が、図１３を参照しながら説明される。通信システム１３００では、ホストコンピュータ１３１０は、通信システム１３００の異なる通信デバイスのインターフェースとの有線接続または無線接続をセットアップおよび維持するように設定された通信インターフェース１３１６を含む、ハードウェア１３１５を備える。ホストコンピュータ１３１０は、記憶能力および／または処理能力を有し得る、処理回路要素１３１８をさらに備える。特に、処理回路要素１３１８は、命令を実行するように適応された、１つまたは複数のプログラマブルプロセッサ、特定用途向け集積回路、フィールドプログラマブルゲートアレイまたはこれらの組合せ（図示せず）を備え得る。ホストコンピュータ１３１０はソフトウェア１３１１をさらに備え、ソフトウェア１３１１は、ホストコンピュータ１３１０に記憶されるかまたはホストコンピュータ１３１０によってアクセス可能であり、処理回路要素１３１８によって実行可能である。ソフトウェア１３１１は、ホストアプリケーション１３１２を含む。ホストアプリケーション１３１２は、ＵＥ１３３０およびホストコンピュータ１３１０において終端するＯＴＴ接続１３５０を介して接続するＵＥ１３３０など、リモートユーザにサービスを提供するように動作可能であり得る。リモートユーザにサービスを提供する際に、ホストアプリケーション１３１２は、ＯＴＴ接続１３５０を使用して送信されるユーザデータを提供し得る。
【００８０】
通信システム１３００は、電気通信システム中に与えられる基地局１３２０をさらに含み、基地局１３２０は、基地局１３２０がホストコンピュータ１３１０およびＵＥ１３３０と通信することを可能にするハードウェア１３２５を備える。ハードウェア１３２５は、通信システム１３００の異なる通信デバイスのインターフェースとの有線接続または無線接続をセットアップおよび維持するための通信インターフェース１３２６、ならびに基地局１３２０によってサーブされるカバレッジエリア（図１３に図示せず）中に位置するＵＥ１３３０との少なくとも無線接続１３７０をセットアップおよび維持するための無線インターフェース１３２７を含み得る。通信インターフェース１３２６は、ホストコンピュータ１３１０への接続１３６０を容易にするように設定され得る。接続１３６０は直接であり得るか、あるいは接続１３６０は、電気通信システムのコアネットワーク（図１３に図示せず）を、および／または電気通信システムの外側の１つまたは複数の中間ネットワークを通過し得る。図示の実施形態では、基地局１３２０のハードウェア１３２５は、処理回路要素１３２８をさらに含み、処理回路要素１３２８は、命令を実行するように適応された、１つまたは複数のプログラマブルプロセッサ、特定用途向け集積回路、フィールドプログラマブルゲートアレイ、またはこれらの組合せ（図示せず）を備え得る。基地局１３２０は、内部的に記憶されるかまたは外部接続を介してアクセス可能なソフトウェア１３２１をさらに有する。
【００８１】
通信システム１３００は、電気通信システムの中または外に与えられるロケーションサーバ１３８０をさらに含み得、ロケーションサーバ１３８０は、ロケーションサーバ１３８０がＵＥ１３３０と通信することを可能にするハードウェア１３８５を備える。ハードウェア１３８５は、ＵＥ１３３０に測位参照信号設定情報を提供するために、場合によっては基地局１３２０を通して、ＵＥ１３３０と間接的に通信するための通信インターフェース１３８６、および／またはＵＥ１３３０との無線接続をセットアップおよび維持するための無線インターフェース１３８７を含み得る。図示の実施形態では、ロケーションサーバ１３８０のハードウェア１３８５は、処理回路要素１３８８をさらに含み、処理回路要素１３８８は、命令を実行するように適応された、１つまたは複数のプログラマブルプロセッサ、特定用途向け集積回路、フィールドプログラマブルゲートアレイ、またはこれらの組合せ（図示せず）を備え得る。ロケーションサーバ１３８０は、内部的に記憶されるかまたは外部接続を介してアクセス可能なソフトウェア１３８１をさらに有する。
【００８２】
通信システム１３００は、すでに言及されたＵＥ１３３０をさらに含む。そのハードウェア１３３５は、ＵＥ１３３０が現在位置するカバレッジエリアをサーブする基地局および場合によってはロケーションサーバ１３８０との無線接続１３７０をセットアップおよび維持するように設定された無線インターフェース１３３７を含み得る。ＵＥ１３３０のハードウェア１３３５は、処理回路要素１３３８をさらに含み、処理回路要素１３３８は、命令を実行するように適応された、１つまたは複数のプログラマブルプロセッサ、特定用途向け集積回路、フィールドプログラマブルゲートアレイ、またはこれらの組合せ（図示せず）を備え得る。ＵＥ１３３０はソフトウェア１３３１をさらに備え、ソフトウェア１３３１は、ＵＥ１３３０に記憶されるかまたはＵＥ１３３０によってアクセス可能であり、処理回路要素１３３８によって実行可能である。ソフトウェア１３３１はクライアントアプリケーション１３３２を含む。クライアントアプリケーション１３３２は、ホストコンピュータ１３１０のサポートを伴って、ＵＥ１３３０を介して人間のまたは人間でないユーザにサービスを提供するように動作可能であり得る。ホストコンピュータ１３１０では、実行しているホストアプリケーション１３１２は、ＵＥ１３３０およびホストコンピュータ１３１０において終端するＯＴＴ接続１３５０を介して、実行しているクライアントアプリケーション１３３２と通信し得る。ユーザにサービスを提供する際に、クライアントアプリケーション１３３２は、ホストアプリケーション１３１２から要求データを受信し、要求データに応答してユーザデータを提供し得る。ＯＴＴ接続１３５０は、要求データとユーザデータの両方を転送し得る。クライアントアプリケーション１３３２は、クライアントアプリケーション１３３２が提供するユーザデータを生成するためにユーザと対話し得る。
【００８３】
図１３に示されているホストコンピュータ１３１０、基地局１３２０、ＵＥ１３３０、ロケーションサーバ１３４０は、それぞれ、図１２のホストコンピュータ１２３０、基地局１２１２ａ、１２１２ｂ、１２１２ｃのうちの１つ、ＵＥ１２９１、１２９２のうちの１つ、およびロケーションサーバ１２４０と同等であり得ることに留意されたい。つまり、これらのエンティティの内部の働きは、図１３に示されているものであり得、別個に、周囲のネットワークトポロジーは、図１２のものであり得る。
【００８４】
図１３では、ＯＴＴ接続１３５０は、中間デバイスとこれらのデバイスを介したメッセージの正確なルーティングとへの明示的言及なしに、基地局１３２０を介したホストコンピュータ１３１０とユーザ機器１３３０との間の通信を示すために、抽象的に描かれている。ネットワークインフラストラクチャが、ルーティングを決定し得、ネットワークインフラストラクチャは、ＵＥ１３３０からまたはホストコンピュータ１３１０を動作させるサービスプロバイダから、またはその両方からルーティングを隠すように設定され得る。ＯＴＴ接続１３５０がアクティブである間、ネットワークインフラストラクチャは、さらに、ネットワークインフラストラクチャが、（たとえば、ネットワークの負荷分散考慮事項または再設定に基づいて）ルーティングを動的に変更する決定を行い得る。
【００８５】
ＵＥ１３３０と基地局１３２０との間の無線接続１３７０、およびロケーションサーバ１３８０によって提供される支援は、ロケーションサーバ１３８０に関与する対応する方法６００および８００〜１１００とともに、無線デバイス５０およびロケーションサーバ３０のために提供されるものなど、本開示全体にわたって説明される実施形態の教示によるものである。本明細書で説明される様々な実施形態は、ＵＥ１３３０が、ロケーションサーバ１３８０から測位参照信号設定情報を受信することを可能にする。これは、ＵＥ１３３０が、より正確な測位情報を有することになることを意味する。したがって、これらの実施形態の教示は、ＯＴＴ接続１３５０を使用して、ネットワークおよびＵＥ１３３０のためのデータレート、容量、品質、レイテンシおよび／または電力消費を改善し、それにより、低減されたユーザ待ち時間、より多くの容量、より良いサービス、より良い応答性、およびより良いデバイスバッテリー時間などの利益を提供し得る。
【００８６】
１つまたは複数の実施形態が改善する、データレート、レイテンシおよび他のファクタを監視する目的での、測定プロシージャが提供され得る。測定結果の変動に応答して、ホストコンピュータ１３１０とＵＥ１３３０との間のＯＴＴ接続１３５０を再設定するための随意のネットワーク機能性がさらにあり得る。測定プロシージャおよび／またはＯＴＴ接続１３５０を再設定するためのネットワーク機能性は、ホストコンピュータ１３１０のソフトウェア１３１１においてまたはＵＥ１３３０のソフトウェア１３３１において、またはその両方において実装され得る。実施形態では、ＯＴＴ接続１３５０が通過する通信デバイスにおいて、またはその通信デバイスに関連して、センサー（図示せず）が展開され得、センサーは、上記で例示された監視された量の値を供給すること、またはソフトウェア１３１１、１３３１が監視された量を算出または推定し得る他の物理量の値を供給することによって、測定プロシージャに参加し得る。ＯＴＴ接続１３５０の再設定は、メッセージフォーマット、再送信セッティング、好ましいルーティングなどを含み得、再設定は、基地局１３２０に影響を及ぼす必要がなく、再設定は、基地局１３２０に知られていないかまたは知覚不可能であり得る。そのようなプロシージャおよび機能性は、当技術分野において知られ、実施され得る。いくつかの実施形態では、測定は、スループット、伝搬時間、レイテンシなどのホストコンピュータ１３１０の測定を容易にするプロプライエタリＵＥシグナリングを伴い得る。測定は、ソフトウェア１３１１、１３３１が、伝搬時間、エラーなどを監視しながら、ソフトウェア１３１１、１３３１が、ＯＴＴ接続１３５０を使用して、メッセージ、特に、空のまたは「ダミー」メッセージを送信させるという点で実装され得る。
【００８７】
図１４は、一実施形態による、通信システムにおいて実装される方法を示すフローチャートである。通信システムは、図１２および図１３を参照しながら説明されたものであり得る、ホストコンピュータと基地局とＵＥとを含む。本開示の簡単のために、図１４への図面参照のみがこのセクションに含まれる。方法の第１のステップ１４１０において、ホストコンピュータはユーザデータを提供する。第１のステップ１４１０の随意のサブステップ１４１１において、ホストコンピュータは、ホストアプリケーションを実行することによって、ユーザデータを提供する。第２のステップ１４２０において、ホストコンピュータは、ＵＥにユーザデータを搬送する送信を始動する。随意の第３のステップ１４３０において、基地局は、本開示全体にわたって説明される実施形態の教示に従って、ホストコンピュータが始動した送信において搬送されたユーザデータをＵＥに送信する。随意の第４のステップ１４４０において、ＵＥは、ホストコンピュータによって実行されたホストアプリケーションに関連するクライアントアプリケーションを実行する。
【００８８】
図１５は、一実施形態による、通信システムにおいて実装される方法を示すフローチャートである。通信システムは、図１２および図１３を参照しながら説明されたものであり得る、ホストコンピュータと基地局とＵＥとを含む。本開示の簡単のために、図１５への図面参照のみがこのセクションに含まれる。方法の第１のステップ１５１０において、ホストコンピュータはユーザデータを提供する。随意のサブステップ（図示せず）において、ホストコンピュータは、ホストアプリケーションを実行することによって、ユーザデータを提供する。第２のステップ１５２０において、ホストコンピュータは、ＵＥにユーザデータを搬送する送信を始動する。送信は、本開示全体にわたって説明される実施形態の教示に従って、基地局を介して進み得る。随意の第３のステップ１５３０において、ＵＥは、送信において搬送されたユーザデータを受信する。
【００８９】
図１６は、一実施形態による、通信システムにおいて実装される方法を示すフローチャートである。通信システムは、図１２および図１３を参照しながら説明されたものであり得る、ホストコンピュータと基地局とＵＥとを含む。本開示の簡単のために、図１６への図面参照のみがこのセクションに含まれる。方法の随意の第１のステップ１６１０において、ＵＥは、ホストコンピュータによって提供された入力データを受信する。追加または代替として、随意の第２のステップ１６２０において、ＵＥはユーザデータを提供する。第２のステップ１６２０の随意のサブステップ１６２１において、ＵＥは、クライアントアプリケーションを実行することによって、ユーザデータを提供する。第１のステップ１６１０のさらなる随意のサブステップ１６１１において、ＵＥは、ホストコンピュータによって提供された受信された入力データに反応してユーザデータを提供する、クライアントアプリケーションを実行する。ユーザデータを提供する際に、実行されたクライアントアプリケーションは、ユーザから受信されたユーザ入力をさらに考慮し得る。ユーザデータが提供された特定の様式にかかわらず、ＵＥは、随意の第３のサブステップ１６３０において、ホストコンピュータへのユーザデータの送信を始動する。方法の第４のステップ１６４０において、ホストコンピュータは、本開示全体にわたって説明される実施形態の教示に従って、ＵＥから送信されたユーザデータを受信する。
【００９０】
図１７は、一実施形態による、通信システムにおいて実装される方法を示すフローチャートである。通信システムは、図１２および図１３を参照しながら説明されたものであり得る、ホストコンピュータと基地局とＵＥとを含む。本開示の簡単のために、図１７への図面参照のみがこのセクションに含まれる。方法の随意の第１のステップ１７１０において、本開示全体にわたって説明される実施形態の教示に従って、基地局は、ＵＥからユーザデータを受信する。随意の第２のステップ１７２０において、基地局は、ホストコンピュータへの、受信されたユーザデータの送信を始動する。第３のステップ１７３０において、ホストコンピュータは、基地局によって始動された送信において搬送されたユーザデータを受信する。
【００９１】
上記で詳細に説明されたように、本明細書で説明される技法は、たとえば、図６および図８〜図１１のプロセスフロー図に示されているように、全体的にまたは部分的に、１つまたは複数のプロセッサによって実行されるコンピュータプログラム命令を使用して実装され得る。これらの技法の機能的実装形態が、機能モジュールに関して表され得、ここで、各機能モジュールが、適切なプロセッサ中で実行するソフトウェアの機能ユニットに、または機能的デジタルハードウェア回路に、またはその両方の何らかの組合せに対応することが諒解されよう。
【００９２】
図１８は、無線デバイス５０においてなど、無線デバイスにおいて実装され得るような、例示的な機能モジュールまたは回路アーキテクチャを示す。機能的実装形態は、ロケーションサーバに、支援についての要求を送るための送信モジュール１８０２を含む。支援についての要求は、無線デバイスによって監視される少なくとも１つのセルを記述する情報を含むか、あるいは無線デバイスの、１つまたは複数のＲＡＴの各々に従って送信される信号を測定する能力または測定することについての選好に関する情報を含むか、あるいは少なくとも１つの監視されるセルを記述する情報と、無線デバイスの能力に関する情報の両方を含む。実装形態は、支援についての要求に応答して、測位参照信号設定情報を受信するための受信モジュール１８０４をも含む。測位参照信号設定情報は、無線デバイスによる測定のための１つまたは複数の信号を識別する。実装形態は、識別された１つまたは複数の信号のうちの少なくとも１つを測定するための測定モジュール１８０６をさらに含む。
【００９３】
図１９は、ロケーションサーバ３０においてなど、ロケーションサーバにおいて実装され得るような、例示的な機能モジュールまたは回路アーキテクチャを示す。機能的実装形態は、無線デバイスから、支援についての要求を受信するための受信モジュール１９０２を含む。支援についての要求は、無線デバイスによって監視される少なくとも１つのセルを記述する情報を含むか、あるいは無線デバイスの、１つまたは複数のＲＡＴの各々に従って送信される信号を測定する能力または測定することについての選好に関する情報を含むか、あるいは少なくとも１つの監視されるセルを記述する前記情報と、無線デバイスの能力に関する前記情報の両方を含む。実装形態は、支援についての要求に応答して、測位参照信号設定情報を無線デバイスに送るための送信モジュール１９０４をも含む。測位参照信号設定情報は、無線デバイスによる測定のための１つまたは複数の信号を識別する。
【００９４】
例示的な実施形態
例示的な実施形態は、限定はしないが、以下の列挙された例を含むことができる。
１．無線デバイスにおける、測位参照信号設定情報を取得するための方法であって、方法は、
ロケーションサーバに、支援についての要求を送ることであって、支援についての要求が、無線デバイスによって監視される少なくとも１つのセルを記述する情報を含むか、あるいは無線デバイスの、１つまたは複数の無線アクセス技術（ＲＡＴ）の各々に従って送信される信号を測定する能力または測定することについての選好に関する情報を含むか、あるいは少なくとも１つの監視されるセルを記述する前記情報と、無線デバイスの能力に関する前記情報の両方を含む、支援についての要求を送ることと、
支援についての要求に応答して、測位参照信号設定情報を受信することであって、測位参照信号設定情報が、無線デバイスによる測定のための１つまたは複数の信号を識別する、測位参照信号設定情報を受信することと、
識別された１つまたは複数の信号のうちの少なくとも１つを測定することと
を含む、方法。
２．測定された１つまたは複数の信号についての１つまたは複数の測定を報告することをさらに含む、例示的な実施形態１に記載の方法。
３．測定された１つまたは複数の信号についての１つまたは複数の測定に基づいて、無線デバイスについてのロケーションを推定することをさらに含む、例示的な実施形態１に記載の方法。
４．方法が、
前記送ることより前に、無線デバイスについての測位能力情報についての要求を受信することと、
測位能力情報についての要求に応答して、無線デバイスについての測位能力情報を送ることと
をさらに含む、例示的な実施形態１から３のいずれか１つに記載の方法。
５．測位能力情報が、無線デバイスの、１つまたは複数のＲＡＴの各々に従って信号を測定する能力または測定することについての選好を示す、例示的な実施形態４に記載の方法。
６．測位能力情報は、
マルチＲＡＴ動作に関する現在の無線デバイス設定、
１つまたは複数のＲＡＴの指示であって、無線デバイスが、１つまたは複数のＲＡＴに従って測位支援データを受信することが可能であるかまたは受信することを選好する、１つまたは複数のＲＡＴの指示、
１つまたは複数のＲＡＴの指示であって、無線デバイスが、１つまたは複数のＲＡＴに従って測位測定の結果を報告することが可能であるかまたは報告することを選好する、１つまたは複数のＲＡＴの指示、
無線デバイスが、設定された１次セルを有する、１つまたは複数のＲＡＴの指示、
無線デバイスが、並列に複数のＲＡＴに従って信号の測位測定を実施することが可能であるおよび／または実施することを選好するかどうかの指示、
サポートされるＲＡＴのうちの１つまたは複数の各々に従う測位測定のためのセルおよび／または周波数の最大数の指示、
サポートされるＲＡＴのうちの１つまたは複数の各々に従う測位測定のためのキャリア周波数のセットまたは範囲の指示、
サポートされるＲＡＴのうちの１つまたは複数の各々に従うサポートされる（１つまたは複数の）帯域幅の指示、ならびに
１つまたは複数のサポートされるＲＡＴの各々に関する無線デバイスのヌメロロジー能力の指示
のうちの１つまたは複数を含む、例示的な実施形態４または５に記載の方法。
７．無線デバイスが、第１のＲＡＴに従って動作する１次セルによってサーブされており、方法が、第１のＲＡＴとは異なる、第２のＲＡＴに従って動作する最も強いセルを識別することをさらに含み、支援についての要求が、第２のＲＡＴに従って動作する識別された最も強いセルを識別する情報を含む、例示的な実施形態１から６のいずれか１つに記載の方法。
８．方法が、最も強いセルを識別することより前に、第２のＲＡＴに従う信号を監視するための測定ギャップを確立することをさらに含む、例示的な実施形態７に記載の方法。
９．測定ギャップを確立することが、第１のＲＡＴにおける１次セルを介して測定ギャップを要求することを含む、例示的な実施形態８に記載の方法。
１０．測定ギャップを確立することが、測定ギャップを自律的にセットアップすることを含む、例示的な実施形態８に記載の方法。
１１．支援についての要求が、第１のＲＡＴに従って無線デバイスにサーブする１次セルを記述する情報を含む、例示的な実施形態１から１０のいずれか１つに記載の方法。
１２．無線デバイスにサーブする１次セルを記述する情報が、
１次セルのためのセル識別子、
１次セルのためのキャリア周波数、
サービング同期信号ブロック（サービングＳＳＢ）の周波数、
ＳＳＢの識別子、
トラッキング参照信号識別子、
チャネル状態情報参照信号の識別子、および
１次セルのためのタイミング情報
のうちの１つまたは複数を含む、例示的な実施形態１１に記載の方法。
１３．支援についての要求が、無線デバイスにサーブする１次セル以外の、無線デバイスにサーブする１つまたは複数のセルを記述する情報を含む、例示的な実施形態１から１２のいずれか１つに記載の方法。
１４．測位参照信号設定情報が、無線デバイスによる測定のための識別された信号のうちの１つまたは複数のためのタイミング情報を含み、識別された１つまたは複数の信号のうちの少なくとも１つを前記測定することが、タイミング情報を使用することを含む、例示的な実施形態１から１３のいずれか１つに記載の方法。
１５．ロケーションサーバにおける、無線デバイスに測位参照信号設定情報を提供するための方法であって、方法は、
無線デバイスから、支援についての要求を受信することであって、支援についての要求が、無線デバイスによって監視される少なくとも１つのセルを記述する情報を含むか、あるいは無線デバイスの、１つまたは複数の無線アクセス技術（ＲＡＴ）の各々に従って送信される信号を測定する能力または測定することについての選好に関する情報を含むか、あるいは少なくとも１つの監視されるセルを記述する前記情報と、無線デバイスの能力に関する前記情報の両方を含む、支援についての要求を受信することと、
支援についての要求に応答して、無線デバイスに測位参照信号設定情報を送ることであって、測位参照信号設定情報が、無線デバイスによる測定のための１つまたは複数の信号を識別する、測位参照信号設定情報を送ることと
を含む、方法。
１６．無線デバイスから、識別された１つまたは複数の信号の１つまたは複数の測定のリポートを受信することをさらに含む、例示的な実施形態１５に記載の方法。
１７．リポートに基づいて、無線デバイスについてのロケーションを推定することをさらに含む、例示的な実施形態１６に記載の方法。
１８．方法が、
支援についての要求を受信することより前に、無線デバイスについての測位能力情報についての要求を送ることと、
測位能力情報についての要求に応答して、無線デバイスについての測位能力情報を受信することと
をさらに含む、例示的な実施形態１５から１７のいずれか１つに記載の方法。
１９．測位能力情報が、無線デバイスの、１つまたは複数のＲＡＴの各々に従って信号を測定する能力または測定することについての選好を示し、方法が、１つまたは複数のＲＡＴの各々に従って信号を測定する示された能力または測定することについての選好に基づいて、無線デバイスによる測定のための１つまたは複数の信号を選択することをさらに含む、例示的な実施形態１８に記載の方法。
２０．測位能力情報は、
マルチＲＡＴ動作に関する現在の無線デバイス設定、
１つまたは複数のＲＡＴの指示であって、無線デバイスが、１つまたは複数のＲＡＴに従って測位支援データを受信することが可能であるかまたは受信することを選好する、１つまたは複数のＲＡＴの指示、
１つまたは複数のＲＡＴの指示であって、無線デバイスが、１つまたは複数のＲＡＴに従って測位測定の結果を報告することが可能であるかまたは報告することを選好する、１つまたは複数のＲＡＴの指示、
無線デバイスが、設定された１次セルを有する、１つまたは複数のＲＡＴの指示、
無線デバイスが、並列に複数のＲＡＴに従って信号の測位測定を実施することが可能であるおよび／または実施することを選好するかどうかの指示、
サポートされるＲＡＴのうちの１つまたは複数の各々に従う測位測定のためのセルおよび／または周波数の最大数の指示、
サポートされるＲＡＴのうちの１つまたは複数の各々に従う測位測定のためのキャリア周波数のセットまたは範囲の指示、
サポートされるＲＡＴのうちの１つまたは複数の各々に従うサポートされる（１つまたは複数の）帯域幅の指示、ならびに
１つまたは複数のサポートされるＲＡＴの各々に関する無線デバイスのヌメロロジー能力の指示
のうちの１つまたは複数を含む、例示的な実施形態１８または１９に記載の方法。
２１．支援についての要求が、第１のＲＡＴとは異なる第２のＲＡＴに従って動作するセルを識別する情報を含み、無線デバイスが第１のＲＡＴに従ってサーブされており、方法が、識別されたセルに基づいて、無線デバイスによる測定のための１つまたは複数の信号を選択することをさらに含む、例示的な実施形態１５から２０のいずれか１つに記載の方法。
２２．支援についての要求が、第１のＲＡＴに従って無線デバイスにサーブする１次セルを記述する情報を含み、方法が、１次セルを記述する情報に基づいて、無線デバイスによる測定のための１つまたは複数の信号を選択することをさらに含む、例示的な実施形態１５から２１のいずれか１つに記載の方法。
２３．無線デバイスにサーブする１次セルを記述する情報が、
１次セルのためのセル識別子、
１次セルのためのキャリア周波数、
サービング同期信号ブロック（サービングＳＳＢ）の周波数、
ＳＳＢの識別子、
トラッキング参照信号識別子、
チャネル状態情報参照信号の識別子、および
１次セルのためのタイミング情報
のうちの１つまたは複数を含む、例示的な実施形態２２に記載の方法。
２４．支援についての要求が、無線デバイスにサーブする１次セル以外の、無線デバイスにサーブする１つまたは複数のセルを記述する情報を含む、例示的な実施形態１５から２３のいずれか１つに記載の方法。
２５．測位参照信号設定情報が、無線デバイスによる測定のための識別された信号のうちの１つまたは複数のためのタイミング情報を含む、例示的な実施形態１５から２４のいずれか１つに記載の方法。
２６．測位参照信号設定情報を取得するように設定された無線デバイスであって、無線デバイスが、
ロケーションサーバおよび１つまたは複数の無線通信ネットワークと直接または間接的に通信するために設定されたトランシーバ回路要素と、
トランシーバ回路要素に動作可能に結合された処理回路要素とを備え、処理回路要素は、
ロケーションサーバに、支援についての要求を送ることであって、支援についての要求が、無線デバイスによって監視される少なくとも１つのセルを記述する情報を含むか、あるいは無線デバイスの、１つまたは複数の無線アクセス技術（ＲＡＴ）の各々に従って送信される信号を測定する能力または測定することについての選好に関する情報を含むか、あるいは少なくとも１つの監視されるセルを記述する前記情報と、無線デバイスの能力に関する前記情報の両方を含む、支援についての要求を送ることと、
支援についての要求に応答して、測位参照信号設定情報を受信することであって、測位参照信号設定情報が、無線デバイスによる測定のための１つまたは複数の信号を識別する、測位参照信号設定情報を受信することと、
識別された１つまたは複数の信号のうちの少なくとも１つを測定することと
を行うように設定された、無線デバイス。
２７．処理回路要素が、測定された１つまたは複数の信号についての１つまたは複数の測定を報告するように設定された、例示的な実施形態２６に記載の無線デバイス。
２８．処理回路要素が、測定された１つまたは複数の信号についての１つまたは複数の測定に基づいて、無線デバイスについてのロケーションを推定するように設定された、例示的な実施形態２６に記載の無線デバイス。
２９．処理回路要素が、
前記送ることより前に、無線デバイスについての測位能力情報についての要求を受信することと、
測位能力情報についての要求に応答して、無線デバイスについての測位能力情報を送ることと
を行うように設定された、例示的な実施形態２６から２８のいずれか１つに記載の無線デバイス。
３０．測位能力情報が、無線デバイスの、１つまたは複数のＲＡＴの各々に従って信号を測定する能力または測定することについての選好を示す、例示的な実施形態２９に記載の無線デバイス。
３１．測位能力情報は、
マルチＲＡＴ動作に関する現在の無線デバイス設定、
１つまたは複数のＲＡＴの指示であって、無線デバイスが、１つまたは複数のＲＡＴに従って測位支援データを受信することが可能であるかまたは受信することを選好する、１つまたは複数のＲＡＴの指示、
１つまたは複数のＲＡＴの指示であって、無線デバイスが、１つまたは複数のＲＡＴに従って測位測定の結果を報告することが可能であるかまたは報告することを選好する、１つまたは複数のＲＡＴの指示、
無線デバイスが、設定された１次セルを有する、１つまたは複数のＲＡＴの指示、
無線デバイスが、並列に複数のＲＡＴに従って信号の測位測定を実施することが可能であるおよび／または実施することを選好するかどうかの指示、
サポートされるＲＡＴのうちの１つまたは複数の各々に従う測位測定のためのセルおよび／または周波数の最大数の指示、
サポートされるＲＡＴのうちの１つまたは複数の各々に従う測位測定のためのキャリア周波数のセットまたは範囲の指示、
サポートされるＲＡＴのうちの１つまたは複数の各々に従うサポートされる（１つまたは複数の）帯域幅の指示、ならびに
１つまたは複数のサポートされるＲＡＴの各々に関する無線デバイスのヌメロロジー能力の指示
のうちの１つまたは複数を含む、例示的な実施形態２９または３０に記載の無線デバイス。
３２．無線デバイスが、第１のＲＡＴに従って動作する１次セルによってサーブされており、処理回路要素が、第１のＲＡＴとは異なる、第２のＲＡＴに従って動作する最も強いセルを識別するように設定され、支援についての要求が、第２のＲＡＴに従って動作する識別された最も強いセルを識別する情報を含む、例示的な実施形態２６から３１のいずれか１つに記載の無線デバイス。
３３．処理回路要素が、最も強いセルを識別することより前に、第２のＲＡＴに従う信号を監視するための測定ギャップを確立するように設定された、例示的な実施形態３２に記載の無線デバイス。
３４．処理回路要素が、第１のＲＡＴにおける１次セルを介して測定ギャップを要求することによって、測定ギャップを確立するように設定された、例示的な実施形態３３に記載の無線デバイス。
３５．測定ギャップを確立することが、測定ギャップを自律的にセットアップすることを含む、例示的な実施形態３３に記載の無線デバイス。
３６．支援についての要求が、第１のＲＡＴに従って無線デバイスにサーブする１次セルを記述する情報を含む、例示的な実施形態２６から３５のいずれか１つに記載の無線デバイス。
３７．無線デバイスにサーブする１次セルを記述する情報が、
１次セルのためのセル識別子、
１次セルのためのキャリア周波数、
サービング同期信号ブロック（サービングＳＳＢ）の周波数、
ＳＳＢの識別子、
トラッキング参照信号識別子、
チャネル状態情報参照信号の識別子、および
１次セルのためのタイミング情報
のうちの１つまたは複数を含む、例示的な実施形態３６に記載の無線デバイス。
３８．支援についての要求が、無線デバイスにサーブする１次セル以外の、無線デバイスにサーブする１つまたは複数のセルを記述する情報を含む、例示的な実施形態２６から３７のいずれか１つに記載の無線デバイス。
３９．測位参照信号設定情報が、無線デバイスによる測定のための識別された信号のうちの１つまたは複数のためのタイミング情報を含み、識別された１つまたは複数の信号のうちの少なくとも１つを前記測定することが、タイミング情報を使用することを含む、例示的な実施形態２６から３８のいずれか１つに記載の無線デバイス。
４０．無線デバイスに測位参照信号設定情報を提供するように設定されたロケーションサーバであって、ロケーションサーバが、
無線デバイスと直接または間接的に通信するために設定された通信回路要素と、
通信回路要素に動作可能に結合された処理回路要素とを備え、処理回路要素は、
無線デバイスから、支援についての要求を受信することであって、支援についての要求が、無線デバイスによって監視される少なくとも１つのセルを記述する情報を含むか、あるいは無線デバイスの、１つまたは複数の無線アクセス技術（ＲＡＴ）の各々に従って送信される信号を測定する能力または測定することについての選好に関する情報を含むか、あるいは少なくとも１つの監視されるセルを記述する前記情報と、無線デバイスの能力に関する前記情報の両方を含む、支援についての要求を受信することと、
支援についての要求に応答して、無線デバイスに測位参照信号設定情報を送ることであって、測位参照信号設定情報が、無線デバイスによる測定のための１つまたは複数の信号を識別する、測位参照信号設定情報を送ることと
を行うように設定された、ロケーションサーバ。
４１．処理回路要素が、無線デバイスから、識別された１つまたは複数の信号の１つまたは複数の測定のリポートを受信するように設定された、例示的な実施形態４０に記載のロケーションサーバ。
４２．処理回路要素が、リポートに基づいて、無線デバイスについてのロケーションを推定するように設定された、例示的な実施形態４１に記載のロケーションサーバ。
４３．処理回路要素が、
支援についての要求を受信することより前に、無線デバイスについての測位能力情報についての要求を送ることと、
測位能力情報についての要求に応答して、無線デバイスについての測位能力情報を受信することと
を行うように設定された、例示的な実施形態４０から４２のいずれか１つに記載のロケーションサーバ。
４４．測位能力情報が、無線デバイスの、１つまたは複数のＲＡＴの各々に従って信号を測定する能力または測定することについての選好を示し、処理回路要素が、１つまたは複数のＲＡＴの各々に従って信号を測定する示された能力または測定することについての選好に基づいて、無線デバイスによる測定のための１つまたは複数の信号を選択するように設定された、例示的な実施形態４３に記載のロケーションサーバ。
４５．測位能力情報は、
マルチＲＡＴ動作に関する現在の無線デバイス設定、
１つまたは複数のＲＡＴの指示であって、無線デバイスが、１つまたは複数のＲＡＴに従って測位支援データを受信することが可能であるかまたは受信することを選好する、１つまたは複数のＲＡＴの指示、
１つまたは複数のＲＡＴの指示であって、無線デバイスが、１つまたは複数のＲＡＴに従って測位測定の結果を報告することが可能であるかまたは報告することを選好する、１つまたは複数のＲＡＴの指示、
無線デバイスが、設定された１次セルを有する、１つまたは複数のＲＡＴの指示、
無線デバイスが、並列に複数のＲＡＴに従って信号の測位測定を実施することが可能であるおよび／または実施することを選好するかどうかの指示、
サポートされるＲＡＴのうちの１つまたは複数の各々に従う測位測定のためのセルおよび／または周波数の最大数の指示、
サポートされるＲＡＴのうちの１つまたは複数の各々に従う測位測定のためのキャリア周波数のセットまたは範囲の指示、
サポートされるＲＡＴのうちの１つまたは複数の各々に従うサポートされる（１つまたは複数の）帯域幅の指示、ならびに
１つまたは複数のサポートされるＲＡＴの各々に関する無線デバイスのヌメロロジー能力の指示
のうちの１つまたは複数を含む、例示的な実施形態４３または４４に記載のロケーションサーバ。
４６．支援についての要求が、第１のＲＡＴとは異なる第２のＲＡＴに従って動作するセルを識別する情報を含み、無線デバイスが第１のＲＡＴに従ってサーブされており、処理回路要素が、識別されたセルに基づいて、無線デバイスによる測定のための１つまたは複数の信号を選択するように設定された、例示的な実施形態４０から４５のいずれか１つに記載のロケーションサーバ。
４７．支援についての要求が、第１のＲＡＴに従って無線デバイスにサーブする１次セルを記述する情報を含み、処理回路要素が、１次セルを記述する情報に基づいて、無線デバイスによる測定のための１つまたは複数の信号を選択するように設定された、例示的な実施形態４０から４６のいずれか１つに記載のロケーションサーバ。
４８．無線デバイスにサーブする１次セルを記述する情報が、
１次セルのためのセル識別子、
１次セルのためのキャリア周波数、
サービング同期信号ブロック（サービングＳＳＢ）の周波数、
ＳＳＢの識別子、
トラッキング参照信号識別子、
チャネル状態情報参照信号の識別子、および
１次セルのためのタイミング情報
のうちの１つまたは複数を含む、例示的な実施形態４７に記載のロケーションサーバ。
４９．支援についての要求が、無線デバイスにサーブする１次セル以外の、無線デバイスにサーブする１つまたは複数のセルを記述する情報を含む、例示的な実施形態４０から４８のいずれか１つに記載のロケーションサーバ。
５０．測位参照信号設定情報が、無線デバイスによる測定のための識別された信号のうちの１つまたは複数のためのタイミング情報を含む、例示的な実施形態４０から４９のいずれか１つに記載のロケーションサーバ。
５１．無線デバイスの処理回路によって実行されたとき、無線デバイスに、
ロケーションサーバに、支援についての要求を送ることであって、支援についての要求が、無線デバイスによって監視される少なくとも１つのセルを記述する情報を含むか、あるいは無線デバイスの、１つまたは複数の無線アクセス技術（ＲＡＴ）の各々に従って送信される信号を測定する能力または測定することについての選好に関する情報を含むか、あるいは少なくとも１つの監視されるセルを記述する前記情報と、無線デバイスの能力に関する前記情報の両方を含む、支援についての要求を送ることと、
支援についての要求に応答して、測位参照信号設定情報を受信することであって、測位参照信号設定情報が、無線デバイスによる測定のための１つまたは複数の信号を識別する、測位参照信号設定情報を受信することと、
識別された１つまたは複数の信号のうちの少なくとも１つを測定することと
を行わせる、コンピュータ実行可能命令を記憶する非一時的コンピュータ可読媒体。
５２．ロケーションサーバの処理回路によって実行されたとき、ロケーションサーバに、
無線デバイスから、支援についての要求を受信することであって、支援についての要求が、無線デバイスによって監視される少なくとも１つのセルを記述する情報を含むか、あるいは無線デバイスの、１つまたは複数の無線アクセス技術（ＲＡＴ）の各々に従って送信される信号を測定する能力または測定することについての選好に関する情報を含むか、あるいは少なくとも１つの監視されるセルを記述する前記情報と、無線デバイスの能力に関する前記情報の両方を含む、支援についての要求を受信することと、
支援についての要求に応答して、無線デバイスに測位参照信号設定情報を送ることであって、測位参照信号設定情報が、無線デバイスによる測定のための１つまたは複数の信号を識別する、測位参照信号設定情報を送ることと
を行わせる、コンピュータ実行可能命令を記憶する非一時的コンピュータ可読媒体。
５３．例示的な実施形態１から１４のいずれか１つに記載の方法を実施するように適応された、無線デバイス。
５４．例示的な実施形態１５から２５のいずれか１つに記載の方法を実施するように適応された、ロケーションサーバまたは１つまたは複数のノード。
５５．少なくとも１つの処理回路上で実行されたとき、少なくとも１つの処理回路に、例示的な実施形態１から２５のいずれか１つに記載の方法を行わせる命令を備える、コンピュータプログラム製品。
５６．例示的な実施形態５５に記載のコンピュータプログラム製品を含んでいるキャリアであって、電子信号、光信号、無線信号、またはコンピュータ可読記憶媒体のうちの１つである、キャリア。
５７．ホストコンピュータを含む通信システムであって、
ユーザデータを提供するように設定された処理回路要素と、
ユーザ機器（ＵＥ）への送信のためにユーザデータをセルラーネットワークにフォワーディングするように設定された通信インターフェースと
を備え、
セルラーネットワークが基地局を備え、
ＵＥが、通信回路要素と処理回路要素とを有するロケーションサーバから測位参照信号設定情報を提供するように設定され、ロケーションサーバの処理回路要素は、
ＵＥから、支援についての要求を受信することであって、支援についての要求が、ＵＥによって監視される少なくとも１つのセルを記述する情報を含むか、あるいはＵＥの、１つまたは複数の無線アクセス技術（ＲＡＴ）の各々に従って送信される信号を測定する能力または測定することについての選好に関する情報を含むか、あるいは少なくとも１つの監視されるセルを記述する前記情報と、ＵＥの能力に関する前記情報の両方を含む、支援についての要求を受信することと、
支援についての要求に応答して、ＵＥに測位参照信号設定情報を送ることであって、測位参照信号設定情報が、ＵＥによる測定のための１つまたは複数の信号を識別する、測位参照信号設定情報を送ることと
を行うように設定された、通信システム。
５８．基地局および／またはロケーションサーバをさらに含む、例示的な実施形態５７に記載の通信システム。
５９．ＵＥをさらに含み、ＵＥがロケーションサーバと直接または間接的に通信するように設定された、例示的な実施形態５８に記載の通信システム。
６０．
ホストコンピュータの処理回路要素が、ホストアプリケーションを実行し、それによりユーザデータを提供するように設定され、
ＵＥが、ホストアプリケーションに関連するクライアントアプリケーションを実行するように設定された処理回路要素を備える、
例示的な実施形態５９に記載の通信システム。
６１．ホストコンピュータと、基地局と、ロケーションサーバと、ユーザ機器（ＵＥ）とを含む通信システムにおいて実装される方法であって、方法が、
ホストコンピュータにおいて、ユーザデータを提供することと、
ホストコンピュータにおいて、基地局を備えるセルラーネットワークを介してＵＥにユーザデータを搬送する送信を始動することと
を含み、ロケーションサーバが、ＵＥに測位参照信号設定情報を提供し、方法は、ロケーションサーバにおいて、
ＵＥから、支援についての要求を受信することであって、支援についての要求が、ＵＥによって監視される少なくとも１つのセルを記述する情報を含むか、あるいはＵＥの、１つまたは複数の無線アクセス技術（ＲＡＴ）の各々に従って送信される信号を測定する能力または測定することについての選好に関する情報を含むか、あるいは少なくとも１つの監視されるセルを記述する前記情報と、ＵＥの能力に関する前記情報の両方を含む、支援についての要求を受信することと、
支援についての要求に応答して、ＵＥに測位参照信号設定情報を送ることであって、測位参照信号設定情報が、ＵＥによる測定のための１つまたは複数の信号を識別する、測位参照信号設定情報を送ることと
を含む、方法。
６２．
基地局において、ユーザデータを送信すること
をさらに含む、例示的な実施形態６１に記載の方法。
６３．ユーザデータが、ホストアプリケーションを実行することによって、ホストコンピュータにおいて提供され、方法が、
ＵＥにおいて、ホストアプリケーションに関連するクライアントアプリケーションを実行すること
をさらに含む、例示的な実施形態６２に記載の方法。
６４．ホストコンピュータを含む通信システムであって、
ユーザデータを提供するように設定された処理回路要素と、
ユーザ機器（ＵＥ）への送信のためにユーザデータをセルラーネットワークにフォワーディングするように設定された通信インターフェースと
を備え、
ＵＥが、ロケーションサーバから測位参照信号設定情報を取得するように設定され、ＵＥが、無線インターフェースと処理回路要素とを備え、処理回路要素は、
ロケーションサーバに、支援についての要求を送ることであって、支援についての要求が、ＵＥによって監視される少なくとも１つのセルを記述する情報を含むか、あるいはＵＥの、１つまたは複数の無線アクセス技術（ＲＡＴ）の各々に従って送信される信号を測定する能力または測定することについての選好に関する情報を含むか、あるいは少なくとも１つの監視されるセルを記述する前記情報と、ＵＥの能力に関する前記情報の両方を含む、支援についての要求を送ることと、
支援についての要求に応答して、測位参照信号設定情報を受信することであって、測位参照信号設定情報が、ＵＥによる測定のための１つまたは複数の信号を識別する、測位参照信号設定情報を受信することと、
識別された１つまたは複数の信号のうちの少なくとも１つを測定することと
を行うように設定された、通信システム。
６５．ＵＥをさらに含む、例示的な実施形態６４に記載の通信システム。
６６．セルラーネットワークが、ＵＥと通信するように設定されたロケーションサーバおよび／または基地局をさらに含む、例示的な実施形態６５に記載の通信システム。
６７．
ホストコンピュータの処理回路要素が、ホストアプリケーションを実行し、それによりユーザデータを提供するように設定され、
ＵＥの処理回路要素が、ホストアプリケーションに関連するクライアントアプリケーションを実行するように設定された、
例示的な実施形態６５または６６に記載の通信システム。
６８．ホストコンピュータと、基地局と、ロケーションサーバと、ユーザ機器（ＵＥ）とを含む通信システムにおいて実装される方法であって、方法が、
ホストコンピュータにおいて、ユーザデータを提供することと、
ホストコンピュータにおいて、基地局を備えるセルラーネットワークを介してＵＥにユーザデータを搬送する送信を始動することと
を含み、ＵＥが、ロケーションサーバから測位参照信号設定情報を取得し、方法は、ＵＥにおいて、
ロケーションサーバに、支援についての要求を送ることであって、支援についての要求が、無線デバイスによって監視される少なくとも１つのセルを記述する情報を含むか、あるいは無線デバイスの、１つまたは複数の無線アクセス技術（ＲＡＴ）の各々に従って送信される信号を測定する能力または測定することについての選好に関する情報を含むか、あるいは少なくとも１つの監視されるセルを記述する前記情報と、無線デバイスの能力に関する前記情報の両方を含む、支援についての要求を送ることと、
支援についての要求に応答して、測位参照信号設定情報を受信することであって、測位参照信号設定情報が、無線デバイスによる測定のための１つまたは複数の信号を識別する、測位参照信号設定情報を受信することと、
識別された１つまたは複数の信号のうちの少なくとも１つを測定することと
を含む、方法。
６９．
ＵＥにおいて、基地局からユーザデータを受信すること
をさらに含む、例示的な実施形態６８に記載の方法。
７０．ホストコンピュータを含む通信システムであって、
ユーザ機器（ＵＥ）から基地局への送信から発生したユーザデータを受信するように設定された通信インターフェース
を備え、
ＵＥが、ロケーションサーバから測位参照信号設定情報を取得するように設定され、無線インターフェースと処理回路要素とを備え、ＵＥの処理回路要素は、
ロケーションサーバに、支援についての要求を送ることであって、支援についての要求が、ＵＥによって監視される少なくとも１つのセルを記述する情報を含むか、あるいはＵＥの、１つまたは複数の無線アクセス技術（ＲＡＴ）の各々に従って送信される信号を測定する能力または測定することについての選好に関する情報を含むか、あるいは少なくとも１つの監視されるセルを記述する前記情報と、ＵＥの能力に関する前記情報の両方を含む、支援についての要求を送ることと、
支援についての要求に応答して、測位参照信号設定情報を受信することであって、測位参照信号設定情報が、ＵＥによる測定のための１つまたは複数の信号を識別する、測位参照信号設定情報を受信することと、
識別された１つまたは複数の信号のうちの少なくとも１つを測定することと
を行うように設定された、通信システム。
７１．ＵＥをさらに含む、例示的な実施形態７０に記載の通信システム。
７２．ロケーションサーバおよび／または基地局をさらに含み、基地局が、ＵＥと通信するように設定された無線インターフェースと、ＵＥから基地局への送信によって搬送されるユーザデータをホストコンピュータにフォワーディングするように設定された通信インターフェースとを備える、例示的な実施形態７１に記載の通信システム。
７３．
ホストコンピュータの処理回路要素が、ホストアプリケーションを実行するように設定され、
ＵＥの処理回路要素が、ホストアプリケーションに関連するクライアントアプリケーションを実行し、それによりユーザデータを提供するように設定された、
例示的な実施形態７１または７２に記載の通信システム。
７４．
ホストコンピュータの処理回路要素が、ホストアプリケーションを実行し、それにより要求データを提供するように設定され、
ＵＥの処理回路要素が、ホストアプリケーションに関連するクライアントアプリケーションを実行し、それにより要求データに応答してユーザデータを提供するように設定された、
例示的な実施形態７１または７２に記載の通信システム。
７５．測位参照信号設定情報を取得するユーザ機器（ＵＥ）において実装される方法であって、
ロケーションサーバに、支援についての要求を送ることであって、支援についての要求が、ＵＥによって監視される少なくとも１つのセルを記述する情報を含むか、あるいはＵＥの、１つまたは複数の無線アクセス技術（ＲＡＴ）の各々に従って送信される信号を測定する能力または測定することについての選好に関する情報を含むか、あるいは少なくとも１つの監視されるセルを記述する前記情報と、ＵＥの能力に関する前記情報の両方を含む、支援についての要求を送ることと、
支援についての要求に応答して、測位参照信号設定情報を受信することであって、測位参照信号設定情報が、ＵＥによる測定のための１つまたは複数の信号を識別する、測位参照信号設定情報を受信することと、
識別された１つまたは複数の信号のうちの少なくとも１つを測定することと
を含む、方法。
７６．
ユーザデータを提供することと、
基地局への送信を介してホストコンピュータにユーザデータをフォワーディングすることと
をさらに含む、例示的な実施形態７５に記載の方法。
７７．ホストコンピュータと、基地局と、ロケーションサーバと、ユーザ機器（ＵＥ）とを含む通信システムにおいて実装される方法であって、方法が、
ホストコンピュータにおいて、ＵＥから基地局に送信されるユーザデータを受信することを含み、方法は、ＵＥにおいて、
ロケーションサーバに、支援についての要求を送ることであって、支援についての要求が、ＵＥによって監視される少なくとも１つのセルを記述する情報を含むか、あるいはＵＥの、１つまたは複数の無線アクセス技術（ＲＡＴ）の各々に従って送信される信号を測定する能力または測定することについての選好に関する情報を含むか、あるいは少なくとも１つの監視されるセルを記述する前記情報と、ＵＥの能力に関する前記情報の両方を含む、支援についての要求を送ることと、
支援についての要求に応答して、測位参照信号設定情報を受信することであって、測位参照信号設定情報が、ＵＥによる測定のための１つまたは複数の信号を識別する、測位参照信号設定情報を受信することと、
識別された１つまたは複数の信号のうちの少なくとも１つを測定することと
を含む、方法。
７８．
ＵＥにおいて、基地局にユーザデータを提供すること
をさらに含む、例示的な実施形態７７に記載の方法。
７９．
ＵＥにおいて、クライアントアプリケーションを実行し、それにより送信されるべきユーザデータを提供することと、
ホストコンピュータにおいて、クライアントアプリケーションに関連するホストアプリケーションを実行することと
をさらに含む、例示的な実施形態７８に記載の方法。
８０．
ＵＥにおいて、クライアントアプリケーションを実行することと、
ＵＥにおいて、クライアントアプリケーションへの入力データを受信することであって、入力データが、クライアントアプリケーションに関連するホストアプリケーションを実行することによってホストコンピュータにおいて提供される、入力データを受信することと
をさらに含み、
送信されるべきユーザデータが、入力データに応答してクライアントアプリケーションによって提供される、
例示的な実施形態７８に記載の方法。
８１．ユーザ機器（ＵＥ）から基地局への送信から発生したユーザデータを受信するように設定された通信インターフェースを備えるホストコンピュータを含む通信システムであって、ロケーションサーバが、ＵＥに測位参照信号設定情報を提供するように設定され、ロケーションサーバが、通信回路要素と処理回路要素とを備え、処理回路要素は、
ＵＥから、支援についての要求を受信することであって、支援についての要求が、ＵＥによって監視される少なくとも１つのセルを記述する情報を含むか、あるいはＵＥの、１つまたは複数の無線アクセス技術（ＲＡＴ）の各々に従って送信される信号を測定する能力または測定することについての選好に関する情報を含むか、あるいは少なくとも１つの監視されるセルを記述する前記情報と、ＵＥの能力に関する前記情報の両方を含む、支援についての要求を受信することと、
支援についての要求に応答して、ＵＥに測位参照信号設定情報を送ることであって、測位参照信号設定情報が、ＵＥによる測定のための１つまたは複数の信号を識別する、測位参照信号設定情報を送ることと
を行うように設定された、通信システム。
８２．基地局をさらに含む、例示的な実施形態８１に記載の通信システム。
８３．ＵＥをさらに含み、ＵＥがロケーションサーバおよび基地局と直接または間接的に通信するように設定された、例示的な実施形態８２に記載の通信システム。
８４．
ホストコンピュータの処理回路要素が、ホストアプリケーションを実行するように設定され、
ＵＥが、ホストアプリケーションに関連するクライアントアプリケーションを実行し、それによりホストコンピュータによって受信されるべきユーザデータを提供するように設定された、
例示的な実施形態８３に記載の通信システム。
８５．ホストコンピュータと、基地局と、ロケーションサーバと、ユーザ機器（ＵＥ）とを含む通信システムにおいて実装される方法であって、方法が、
ホストコンピュータにおいて、基地局から、基地局がＵＥから受信した送信から発生したユーザデータを受信すること
を含み、ＵＥが、測位参照信号設定情報を取得し、方法は、ロケーションサーバにおいて、
ＵＥから、支援についての要求を受信することであって、支援についての要求が、ＵＥによって監視される少なくとも１つのセルを記述する情報を含むか、あるいはＵＥの、１つまたは複数の無線アクセス技術（ＲＡＴ）の各々に従って送信される信号を測定する能力または測定することについての選好に関する情報を含むか、あるいは少なくとも１つの監視されるセルを記述する前記情報と、ＵＥの能力に関する前記情報の両方を含む、支援についての要求を受信することと、
支援についての要求に応答して、ＵＥに測位参照信号設定情報を送ることであって、測位参照信号設定情報が、ＵＥによる測定のための１つまたは複数の信号を識別する、測位参照信号設定情報を送ることと
を含む、方法。
８６．
基地局において、ＵＥからユーザデータを受信すること
をさらに含む、例示的な実施形態８５に記載の方法。
８７．
基地局において、受信されたユーザデータのホストコンピュータへの送信を始動すること
をさらに含む、例示的な実施形態８６に記載の方法。
８８．測位参照信号設定情報を取得するように設定された無線デバイスであって、無線デバイスは、
ロケーションサーバに、支援についての要求を送るための送信モジュールであって、支援についての要求が、無線デバイスによって監視される少なくとも１つのセルを記述する情報を含むか、あるいは無線デバイスの、１つまたは複数の無線アクセス技術（ＲＡＴ）の各々に従って送信される信号を測定する能力または測定することについての選好に関する情報を含むか、あるいは少なくとも１つの監視されるセルを記述する前記情報と、無線デバイスの能力に関する前記情報の両方を含む、送信モジュールと、
支援についての要求に応答して、測位参照信号設定情報を受信するための受信モジュールであって、測位参照信号設定情報が、無線デバイスによる測定のための１つまたは複数の信号を識別する、受信モジュールと、
識別された１つまたは複数の信号のうちの少なくとも１つを測定するための測定モジュールと
を備える、無線デバイス。
８９．無線デバイスに測位参照信号設定情報を提供するように設定されたロケーションサーバであって、ロケーションサーバは、
無線デバイスから、支援についての要求を受信するための受信モジュールであって、支援についての要求が、無線デバイスによって監視される少なくとも１つのセルを記述する情報を含むか、あるいは無線デバイスの、１つまたは複数の無線アクセス技術（ＲＡＴ）の各々に従って送信される信号を測定する能力または測定することについての選好に関する情報を含むか、あるいは少なくとも１つの監視されるセルを記述する前記情報と、無線デバイスの能力に関する前記情報の両方を含む、受信モジュールと、
支援についての要求に応答して、無線デバイスに測位参照信号設定情報を送るための送信モジュールであって、測位参照信号設定情報が、無線デバイスによる測定のための１つまたは複数の信号を識別する、送信モジュールと
を備える、ロケーションサーバ。
【００９５】
本発明的概念の原理から実質的に逸脱することなしに、実施形態に対して多くの変形および変更が行われ得る。すべてのそのような変形および変更は、本発明的概念の範囲内で本明細書に含まれるものとする。したがって、上記で開示された主題は、例示であり、限定するものではないと見なされるべきであり、実施形態の例は、本発明的概念の趣旨および範囲内に入る、すべてのそのような変更、拡張、および他の実施形態を包含するものとする。したがって、法によって最大限に許容される限りにおいて、本発明的概念の範囲は、実施形態の前述の例、以下の特許請求の範囲、およびそれらの等価物を含む、本開示の最も広い許容可能な解釈によって決定されるべきであり、上記の詳細な説明によって制限または限定されるべきでない。
【図１】
2020537429.tif 000006
【図２】
2020537429.tif 000007
【図３】
2020537429.tif 000008
【図４】
2020537429.tif 000009
【図５】
2020537429.tif 000010
【図６】
2020537429.tif 000011
【図７】
2020537429.tif 000012
【図８】
2020537429.tif 000013
【図９】
2020537429.tif 000014
【図１０】
2020537429.tif 000015
【図１１】
2020537429.tif 000016
【図１２】
2020537429.tif 000017
【図１３】
2020537429.tif 000018
【図１４】
2020537429.tif 000019
【図１５】
2020537429.tif 000020
【図１６】
2020537429.tif 000021
【図１７】
2020537429.tif 000022
【図１８】
2020537429.tif 000023
【図１９】
2020537429.tif 000024
【手続補正書】
【提出日】令和2年6月19日(2020.6.19)
【手続補正１】
【補正対象書類名】特許請求の範囲
【補正対象項目名】全文
【補正方法】変更
【補正の内容】
【特許請求の範囲】
【請求項１】
無線デバイスにおける、測位参照信号設定情報を取得するための方法であって、前記方法は、
ロケーションサーバに、支援についての要求を送ること（６０２）であって、支援についての前記要求が、第１の無線アクセス技術（ＲＡＴ）に従って前記無線デバイスにサーブするセルに関する情報を含む、支援についての要求を送ること（６０２）と、
支援についての前記要求に応答して、測位参照信号設定情報を受信すること（６０４）であって、前記測位参照信号設定情報が、前記無線デバイスによる測定のための、第２のＲＡＴに従って送信される１つまたは複数の信号を識別する、測位参照信号設定情報を受信すること（６０４）と、
前記識別された１つまたは複数の信号のうちの少なくとも１つを測定すること（６０６）と
を含む、方法。
【請求項２】
前記測定された１つまたは複数の信号についての１つまたは複数の測定を報告すること（９１２）をさらに含む、請求項１に記載の方法。
【請求項３】
前記測定された１つまたは複数の信号についての１つまたは複数の測定に基づいて、前記無線デバイスについてのロケーションを推定することをさらに含む、請求項１または２に記載の方法。
【請求項４】
前記測定すること（６０６）が、異なる参照信号間の相対時間差を測定することを含む、請求項１から３のいずれか一項に記載の方法。
【請求項５】
前記方法が、前記無線デバイスの、前記第１のＲＡＴ以外の１つまたは複数のＲＡＴについて測位測定を実施する能力を示す能力情報を送ること（９０４）をさらに含む、請求項１から４のいずれか一項に記載の方法。
【請求項６】
前記方法が、前記能力情報を送ることより前に、前記無線デバイスについての測位能力情報についての要求を受信すること（９０２）をさらに含む、請求項５に記載の方法。
【請求項７】
前記測位能力情報が、前記無線デバイスの、２つまたはそれ以上のＲＡＴの各々に従って信号を測定する能力または測定することについての選好を示す、請求項５または６に記載の方法。
【請求項８】
前記測位能力情報は、
マルチＲＡＴ動作に関する現在の無線デバイス設定、
１つまたは複数のＲＡＴの指示であって、前記無線デバイスが、前記１つまたは複数のＲＡＴに従って測位支援データを受信することが可能であるかまたは受信することを選好する、１つまたは複数のＲＡＴの指示、
１つまたは複数のＲＡＴの指示であって、前記無線デバイスが、前記１つまたは複数のＲＡＴに従って測位測定の結果を報告することが可能であるかまたは報告することを選好する、１つまたは複数のＲＡＴの指示、
前記無線デバイスが、設定された１次セルを有する、１つまたは複数のＲＡＴの指示、
前記無線デバイスが、並列に複数のＲＡＴに従って信号の測位測定を実施することが可能であるおよび／または実施することを選好するかどうかの指示、
サポートされるＲＡＴのうちの１つまたは複数の各々に従う測位測定のためのセルおよび／または周波数の最大数の指示、
サポートされるＲＡＴのうちの１つまたは複数の各々に従う測位測定のためのキャリア周波数のセットまたは範囲の指示、
サポートされるＲＡＴのうちの１つまたは複数の各々に従うサポートされる（１つまたは複数の）帯域幅の指示、ならびに
１つまたは複数のサポートされるＲＡＴの各々に関する前記無線デバイスのヌメロロジー能力の指示
のうちの１つまたは複数を含む、請求項５から７のいずれか一項に記載の方法。
【請求項９】
前記方法が、前記第２のＲＡＴに従う信号を監視するための測定ギャップを確立すること（１１０４、１１０６）をさらに含む、請求項１から８のいずれか一項に記載の方法。
【請求項１０】
前記測定ギャップを確立すること（１１０４、１１０６）が、前記第１のＲＡＴに従って前記無線デバイスにサーブする前記セルを介して測定ギャップを要求すること（１１０６）を含む、請求項９に記載の方法。
【請求項１１】
前記測定ギャップを確立すること（１１０４、１１０６）が、前記測定ギャップを自律的にセットアップすること（１１０４）を含む、請求項９に記載の方法。
【請求項１２】
前記無線デバイスが、第１のＲＡＴに従って動作する１次セルによってサーブされており、前記方法が、前記第２のＲＡＴに従って動作する最も強いセルを識別することをさらに含み、支援についての前記要求が、前記第２のＲＡＴに従って動作する前記識別された最も強いセルを識別する情報を含む、請求項１から１０のいずれか一項に記載の方法。
【請求項１３】
支援についての前記要求が、第１のＲＡＴに従って前記無線デバイスにサーブする１次セルを記述する情報を含む、請求項１から１２のいずれか一項に記載の方法。
【請求項１４】
前記無線デバイスにサーブする前記１次セルを記述する前記情報が、
前記１次セルのためのセル識別子、
前記１次セルのためのキャリア周波数、
サービング同期信号ブロック（サービングＳＳＢ）の周波数、
ＳＳＢの識別子、
トラッキング参照信号識別子、
チャネル状態情報参照信号の識別子、および
前記１次セルのためのタイミング情報
のうちの１つまたは複数を含む、請求項１３に記載の方法。
【請求項１５】
ロケーションサーバにおける、無線デバイスに測位参照信号設定情報を提供するための方法であって、前記方法は、
前記無線デバイスから、支援についての要求を受信すること（８０２）であって、支援についての前記要求が、第１の無線アクセス技術（ＲＡＴ）に従って前記無線デバイスにサーブするセルに関する情報を含む情報を含む、支援についての要求を受信すること（８０２）と、
支援についての前記要求に応答して、前記無線デバイスに測位参照信号設定情報を送ること（８０４）であって、前記測位参照信号設定情報が、前記無線デバイスによる測定のための、第２のＲＡＴに従って送信される１つまたは複数の信号を識別する、測位参照信号設定情報を送ること（８０４）と
を含む、方法。
【請求項１６】
前記無線デバイスから、前記識別された１つまたは複数の信号の１つまたは複数の測定のリポートを受信すること（１０１０）をさらに含む、請求項１５に記載の方法。
【請求項１７】
前記リポートが、異なる参照信号間の相対時間差の測定を含む、請求項１５または１６に記載の方法。
【請求項１８】
前記リポートに基づいて、前記無線デバイスについてのロケーションを推定すること（１０１０）をさらに含む、請求項１５から１７のいずれか一項に記載の方法。
【請求項１９】
前記方法が、
前記無線デバイスから、前記無線デバイスの、前記第１のＲＡＴ以外の１つまたは複数のＲＡＴについて測位測定を実施する能力を示す能力情報を受信すること（１００４）と、
前記受信された能力情報に基づいて前記１つまたは複数の信号を選択することと
をさらに含む、請求項１５から１８のいずれか一項に記載の方法。
【請求項２０】
前記方法が、前記能力情報を受信することより前に、前記無線デバイスについての測位能力情報についての要求を送ること（１００２）をさらに含む、請求項１９に記載の方法。
【請求項２１】
測位参照信号設定情報を取得するように設定された無線デバイス（５０）であって、前記無線デバイス（５０）が、
ロケーションサーバおよび１つまたは複数の無線通信ネットワークと直接または間接的に通信するために設定されたトランシーバ回路要素（５６）と、
前記トランシーバ回路要素（５６）に動作可能に結合された処理回路要素（５２）とを備え、前記処理回路要素（５２）は、
ロケーションサーバに、支援についての要求を送ることであって、支援についての前記要求が、第１の無線アクセス技術（ＲＡＴ）に従って前記無線デバイスにサーブするセルに関する情報を含む、支援についての要求を送ることと、
支援についての前記要求に応答して、測位参照信号設定情報を受信することであって、前記測位参照信号設定情報が、前記無線デバイスによる測定のための、第２のＲＡＴに従って送信される１つまたは複数の信号を識別する、測位参照信号設定情報を受信することと、
前記識別された１つまたは複数の信号のうちの少なくとも１つを測定することと
を行うように設定された、無線デバイス（５０）。
【請求項２２】
無線デバイス（５０）に測位参照信号設定情報を提供するように設定されたロケーションサーバ（３０）であって、前記ロケーションサーバ（３０）が、
前記無線デバイス（５０）と直接または間接的に通信するために設定された通信回路要素（３８）と、
前記通信回路要素（３８）に動作可能に結合された処理回路要素（３２）とを備え、前記処理回路要素（３２）は、
前記無線デバイス（５０）から、支援についての要求を受信することであって、支援についての前記要求が、第１の無線アクセス技術（ＲＡＴ）に従って前記無線デバイス（５０）にサーブするセルに関する情報を含む情報を含む、支援についての要求を受信することと、
支援についての前記要求に応答して、前記無線デバイス（５０）に測位参照信号設定情報を送ることであって、前記測位参照信号設定情報が、前記無線デバイス（５０）による測定のための、第２のＲＡＴに従って送信される１つまたは複数の信号を識別する、測位参照信号設定情報を送ることと
を行うように設定された、ロケーションサーバ（３０）。
【国際調査報告】
2020537429.tif 000025
2020537429.tif 000026